(57)【要約】【課題】テレビジョン受信機とＤＶＤレコーダー／プレーヤーとの接続構成において、記録番組のデータ放送の再生時、テレビジョン受信機のリモコンを用いて操作できないという問題が発生していた。【解決手段】データ放送のＢＭＬデータの伝送フォーマットに応じて、テレビジョン受信機およびＤＶＤレコーダー／プレーヤーにおいて、ＢＭＬデコーダーの復号およびＢＭＬデコーダ出力の映像および音声の合成／選択のオン／オフを制御する制御手段とを備える事を特徴とする。【選択図】図１
2004274718.tif 000002
【特許請求の範囲】
【請求項１】
再生装置の記録媒体から読み出された記録番組を伝送媒体を介して受信し映像情報および音声情報を出力する表示装置において、記録番組の映像情報および音声情報を非圧縮フォーマットで受信可能であり、記録番組の関連情報または関連するデータ放送番組情報を非圧縮フォーマットまたはトランスポートストリームフォーマットで受信可能な受信手段と、放送波または通信網から放送番組を受信する放送受信手段と、前記放送受信手段が受信する放送番組の映像情報および音声情報を適切な復号方式で復号する第一の復号手段と、前記受信手段が受信する記録番組の関連情報またはデータ放送番組情報あるいは前記放送受信手段が受信する放送番組の関連情報またはデータ放送番組情報を入力し適切な復号方式で復号する第二の復号手段と、前記受信手段が受信する記録番組の映像情報および音声情報と前記第一の復号手段が出力する放送番組の映像情報および音声情報を入力し選択して映像情報および音声情報を出力する選択手段と、前記選択手段が出力する映像情報および音声情報と前記第二の復号手段が復号する映像情報および音声情報とを合成／選択して出力する出力手段と、出力手段が再生装置から受信する記録番組の関連情報またはデータ放送番組を出力する際には、前記受信手段が受信する関連情報またはデータ放送番組の伝送フォーマットの種別に基づいて前記第二の復号手段の復号および前記出力手段における前記第二の復号手段が出力する映像情報および音声情報の合成／選択のオン／オフを制御する制御手段とを備えることを特徴とする表示装置。
【請求項２】
前記再生装置からコマンドを受信するコマンド受信手段と、前記制御手段は受信するコマンドに格納されている記録番組の映像情報および音声情報と関連情報または関連するデータ放送番組情報と伝送チャンネルとの関連付けを示した情報を基づいて前記第二の復号手段の復号および前記出力手段における前記第二の復号手段が出力する映像情報および音声情報の合成／選択のオン／オフを制御することを特徴とする請求項１記載の表示装置。
【請求項３】
前記再生装置にコマンドを送信するコマンド送信手段と、前記再生装置から記録番組を受信する際に、前記関連付けを示した情報を送信要求するコマンドを送信制御する制御手段とを備えることを特徴とする請求項２に記載の表示装置。
【請求項４】
前記関連付けを示した情報は伝送媒体上においてインターフェースを識別する識別情報を用いた情報であることを特徴とする請求項２記載の表示装置。
【請求項５】
前記関連付けを示した情報は伝送媒体上において論理的に確立される伝送チャンネルを識別するチャンネル識別情報を用いた情報であることを特徴とする請求項２記載の表示装置。
【請求項６】
前記受信手段が受信する記録番組の映像情報を所定の縮小率でスケーリングするスケーリング手段と、前記受信手段が受信する記録番組に関連するデータ放送番組情報に基づいて前記スケーリング手段のスケーリング制御を行う制御手段とを備えることを特徴とする請求項１記載の表示装置。
【請求項７】
記録番組の復号後の映像情報および音声情報を非圧縮フォーマットの信号で第一および第二の伝送チャンネルから受信し更に記録番組の関連情報または関連するデータ放送番組情報をトランスポートストリームフォーマットで第三の伝送チャンネルから受信する前記受信手段と前記コマンド送信手段と前記コマンド受信手段とを含む単一のインターフェース装置を備えることを特徴とする請求項３記載の表示装置。
【請求項８】
記録番組の復号後の映像情報および音声情報を非圧縮フォーマットの信号で受信する前記受信手段を含む第一のインターフェース装置と記録番組の関連情報または関連するデータ放送番組情報をトランスポートストリームフォーマットで受信する前記受信手段と前記コマンド送信手段と前記コマンド受信手段とを含む第二のインターフェース装置を備えることを特徴とする請求項３記載の表示装置。
【請求項９】
前記再生装置にコマンドを送信するコマンド送信手段と、ユーザーの操作を受け付ける操作手段と、前記操作手段を用いたユーザーの操作が前記再生装置から受信中の記録番組の関連情報を表示する指示と解釈した場合、前記記録番組の関連情報を送信要求するコマンドを送信するように制御する制御手段とを備えることを特徴とする請求項１記載の表示装置。
【請求項１０】
前記再生装置にコマンドを送信するコマンド送信手段と、ユーザーの操作を受け付ける操作手段と、前記操作手段を用いたユーザーの操作が前記再生装置から受信中の記録番組に関連するデータ放送番組情報を表示する指示と解釈した場合、前記記録番組に関連するデータ放送番組情報を送信要求するコマンドを送信するように制御する制御手段とを備えることを特徴とする請求項１記載の表示装置。
【請求項１１】
前記再生装置にコマンドを送信するコマンド送信手段と、ユーザーの操作を受け付ける操作手段と、前記操作手段を用いたユーザーの操作が前記再生装置から受信中の記録番組の関連情報を表示する指示と解釈した場合、前記記録番組の関連情報を復号して記録番組の復号後の映像情報と合成した映像情報を送信することを要求するコマンドを送信するように制御する制御手段とを備えることを特徴とする請求項１記載の表示装置。
【請求項１２】
ユーザーの操作を受け付ける操作手段と、前記再生装置にコマンドを送信するコマンド送信手段と、前記操作手段を用いたユーザーの操作が前記再生装置から受信中の記録番組に関連するデータ放送番組情報を表示する指示と解釈した場合、前記記録番組に関連するデータ放送番組情報を復号して記録番組の映像情報と合成した映像情報を送信することを要求するコマンドを送信するように制御する制御手段とを備えることを特徴とする請求項１記載の表示装置。
【請求項１３】
前記操作手段を用いたユーザーの操作が前記再生装置から受信中の記録番組に関連するデータ放送番組情報を表示終了する指示と解釈した場合、前記コマンド送信手段を用いて前記記録番組に関連するデータ放送番組情報の復号と合成出力を終了要求するコマンドを送信するように制御する制御手段とを備えることを特徴とする請求項１２記載の表示装置。
【請求項１４】
前記再生装置にコマンドを送信するコマンド送信手段と、ユーザーが放送番組を受信して取得した放送事業者別の固有情報を蓄積する不揮発性メモリと、前記不揮発性メモリから放送事業者別の固有情報を読み出して前記コマンド送信手段を用いて送信するように制御する制御手段とを備えることを特徴とする請求項１または請求項１２の何れかに記載の表示装置。
【請求項１５】
前記操作手段を用いたユーザーの操作が前記再生装置から受信中の記録番組に関連するデータ放送番組情報を表示終了する指示と解釈した場合、前記再生装置から放送事業者別の固有情報のデータを受信し、受信した放送事業者別の固有情報を用いて前記不揮発性メモリに記憶されている放送事業者別の固有情報を更新するように制御する制御手段とを備えることを特徴とする請求項１４に記載の表示装置。
【請求項１６】
記録媒体から読み出した記録番組を、伝送媒体を介して表示装置に送信する再生装置において、トランスポートストリームフォーマットで記録されている記録番組を映像情報および音声情報と関連情報および関連するデータ放送番組情報とに分離する分離手段と、前記分離手段の出力する映像情報および音声情報を復号する第一の復号手段と、前記分離手段の出力する記録番組の関連情報またはデータ放送番組情報を適切な復号方式で復号する第二の復号手段と、前記第一の復号手段が出力する映像情報および音声情報と前記第二の復号手段が復号する映像情報および音声情報とを合成／選択して出力する出力手段と、前記出力手段の出力する非圧縮フォーマットの映像情報および音声情報と前記分離手段の出力するトランスポートストリームフォーマットの復号前の記録番組の関連情報および関連するデータ放送番組情報とを伝送媒体に送信可能な送信手段と、記録番組の関連情報またはデータ放送番組を前記表示装置に送信する際には、関連情報またはデータ放送番組の伝送フォーマットの種別に基づいて、前記第二の復号手段の復号および前記出力手段における前記第二の復号手段が復号する映像情報および音声情報の合成／選択のオン／オフを制御する制御手段とを備えることを特徴とする再生装置。
【請求項１７】
前記表示装置にコマンドを送信するコマンド送信手段と、前記記録番組に関わる映像情報および音声情報と記録番組の関連情報および関連するデータ放送番組情報と伝送チャンネルとの関連付けを示すコマンドを送信するように制御する制御手段とを備えることを特徴とする請求項１６記載の再生装置。
【請求項１８】
前記表示装置からコマンドを受信するコマンド受信手段と、前記関連付けを示すコマンドを要求するコマンドを受信した場合、前記コマンド送信手段を用いて前記関連付けを示すコマンドを返信するように制御する制御手段とを備えることを特徴とする請求項１７に記載の再生装置。
【請求項１９】
前記関連付けを示す情報は伝送媒体上においてインターフェースを識別する識別情報を用いた情報であることを特徴とする請求項１７記載の再生装置。
【請求項２０】
前記関連付けを示す情報は伝送媒体上において論理的に確立される伝送チャンネルを識別するチャンネル識別情報を用いた情報であることを特徴とする請求項１７記載の再生装置。
【請求項２１】
記録番組の復号後の映像情報および音声情報を非圧縮フォーマットの信号で第一および第二の伝送チャンネルで送信し更に記録番組の関連情報または関連するデータ放送番組情報をトランスポートストリームフォーマットで第三の伝送チャンネルで送信する前記送信手段と前記コマンド送信手段と前記コマンド受信手段とを含む単一のインターフェース装置を備えることを特徴とする請求項１６記載の再生装置。
【請求項２２】
記録番組の復号後の映像情報および音声情報を非圧縮フォーマットの信号で送信する前記送信手段を含む第一のインターフェース装置と記録番組の関連情報または関連するデータ放送番組情報をトランスポートストリームフォーマットで送信する前記送信手段と前記コマンド送信手段と前記コマンド受信手段とを含む第二のインターフェース装置を備えることを特徴とする請求項１６記載の再生装置。
【請求項２３】
前記表示装置からコマンドを受信するコマンド受信手段と、前記記録番組の関連情報を送信要求するコマンドを受信した場合、前記コマンド送信手段を用いて前記記録番組の関連情報を返信するように制御する制御手段とを備えることを特徴とする請求項１７記載の再生装置。
【請求項２４】
前記表示装置からコマンドを受信するコマンド受信手段と、前記記録番組に関連するデータ放送番組情報を送信要求するコマンドを受信した場合、前記コマンド送信手段を用いて前記記録番組に関連するデータ放送番組情報を返信するように制御する制御手段とを備えることを特徴とする請求項１６記載の再生装置。
【請求項２５】
前記表示装置からコマンドを受信するコマンド受信手段と、前記記録番組の関連情報を表示要求するコマンドを受信した場合、前記第一の復号手段の出力する非圧縮フォーマットの映像情報および音声情報と前記第二の復号手段の出力する非圧縮フォーマットの映像情報および音声情報とを合成した映像情報および音声情報を送信するよう制御する制御手段とを備えることを特徴とする請求項１６記載の再生装置。
【請求項２６】
前記表示装置からコマンドを受信するコマンド受信手段と、前記記録番組の関連するデータ放送番組情報を表示要求するコマンドを受信した場合、前記第一の復号手段の出力する非圧縮フォーマットの映像情報および音声情報と前記第二の復号手段の出力する非圧縮フォーマットの映像情報および音声情報とを合成した映像情報および音声情報を送信するよう制御する制御手段とを備えることを特徴とする請求項１６記載の再生装置。
【請求項２７】
前記コマンド受信手段が前記記録番組の関連するデータ放送番組情報の復号と合成表示終了要求するコマンドを受信した場合、前記第二の復号手段の出力する非圧縮フォーマットの映像情報および音声情報と合成せずに前記第一の復号手段の出力する非圧縮フォーマットの映像情報および音声情報を送信するよう制御する制御手段とを備えることを特徴とする請求項２６記載の再生装置。
【請求項２８】
前記表示装置からコマンドを受信するコマンド受信手段と、前記コマンド受信手段が前記表示装置の不揮発性メモリに記憶されている放送事業者別の固有情報を受信した場合、受信した前記表示装置の不揮発性メモリに記憶されている放送事業者別の固有情報を適用して前記第二の復号手段が適切に復号するように制御する制御手段とを備えることを特徴とする請求項１６または請求項２６の何れかに記載の再生装置。
【請求項２９】
受信した前記表示装置の不揮発性メモリに記憶されている放送事業者別の固有情報を用いて前記不揮発性メモリに記憶されている放送事業者別の固有情報を更新することを特徴とする請求項２８記載の再生装置。
【請求項３０】
前記表示装置にコマンドを送信するコマンド送信手段と、前記コマンド受信手段が前記記録番組の関連するデータ放送番組情報の復号と合成表示終了要求するコマンドを受信した場合、前記不揮発性メモリに記憶されている放送事業者別の固有情報を、前記コマンド送信手段を用いて送信するように制御する制御手段とを備えることを特徴とする請求項２８記載の再生装置。
【請求項３１】
映像信号および音声信号を非圧縮フォーマットで入出力する非圧縮信号インターフェースと、データ放送情報または番組関連情報をＭＰＥＧ−２  トランスポートストリームフォーマットで入出力するＭＰＥＧ−２インターフェースと、前記非圧縮信号インターフェースから入力する映像信号および音声信号と前記ＭＰＥＧ−２インターフェースから入力するデータ放送情報または番組関連情報とをアイソクロナスパケットに格納して単一のＩＥＥＥ１３９４バスに送信することと単一のＩＥＥＥ１３９４バスからアイソクロナスパケットを受信して映像信号および音声信号を前記非圧縮信号インターフェースに出力するとともにデータ放送情報または番組関連情報を前記ＭＰＥＧ−２インターフェースに出力するＩＥＥＥ１３９４インターフェースとを備えることを特徴とするインターフェース装置。
【請求項３２】
映像信号および音声信号を非圧縮フォーマットで入出力する非圧縮信号インターフェースと、データ放送情報または番組関連情報をＭＰＥＧ−２  トランスポートストリームフォーマットで入出力するＭＰＥＧ−２インターフェースと、前記非圧縮信号インターフェースから入力する映像信号および音声信号と前記ＭＰＥＧ−２インターフェースから入力するデータ放送情報または番組関連情報とをアイソクロナスパケットに格納して単一のＩＥＥＥ８０２．３バスに送信することと単一のＩＥＥＥ８０２．３バスからアイソクロナスパケットを受信して映像信号および音声信号を前記非圧縮信号インターフェースに出力するとともにデータ放送情報または番組関連情報を前記ＭＰＥＧ−２インターフェースに出力するＩＥＥＥ８０２．３インターフェースとを備えることを特徴とするインターフェース装置。
【請求項３３】
映像信号および音声信号を非圧縮フォーマットで入出力する非圧縮信号インターフェースと、データ放送情報または番組関連情報をＭＰＥＧ−２  トランスポートストリームフォーマットで入出力するＭＰＥＧ−２インターフェースと、前記非圧縮信号インターフェースから入力する映像信号および音声信号と前記ＭＰＥＧ−２インターフェースから入力するデータ放送情報または番組関連情報とをアイソクロナスパケットに格納して単一のＵＳＢバスに送信することと単一のＵＳＢバスからアイソクロナスパケットを受信して映像信号および音声信号を前記非圧縮信号インターフェースに出力するとともにデータ放送情報または番組関連情報を前記ＭＰＥＧ−２インターフェースに出力するＵＳＢインターフェースとを備えることを特徴とするインターフェース装置。
【請求項３４】
映像信号および音声信号を非圧縮フォーマットで入出力する非圧縮信号インターフェースと、データ放送情報または番組関連情報をＭＰＥＧ−２  トランスポートストリームフォーマットで入出力するＭＰＥＧ−２インターフェースと、前記非圧縮信号インターフェースから入力する映像信号および音声信号と前記ＭＰＥＧ−２インターフェースから入力するデータ放送情報または番組関連情報とをアイソクロナスパケットに格納して電波で送信することと電波からアイソクロナスパケットを受信して映像信号および音声信号を前記非圧縮信号インターフェースに出力するとともにデータ放送情報または番組関連情報を前記ＭＰＥＧ−２インターフェースに出力するＩＥＥＥ８０２．１１インターフェースとを備えることを特徴とするインターフェース装置。
【請求項３５】
映像信号および音声信号を非圧縮フォーマットで入出力する非圧縮信号インターフェースと、データ放送情報または番組関連情報をＭＰＥＧ−２  トランスポートストリームフォーマットで入出力するＭＰＥＧ−２インターフェースと、前記非圧縮信号インターフェースから入力する映像信号および音声信号と前記ＭＰＥＧ−２インターフェースから入力するデータ放送情報または番組関連情報とをアイソクロナスパケットに格納して電波で送信することと電波からアイソクロナスパケットを受信して映像信号および音声信号を前記非圧縮信号インターフェースに出力するとともにデータ放送情報または番組関連情報を前記ＭＰＥＧ−２インターフェースに出力するＵＷＢインターフェースとを備えることを特徴とするインターフェース装置。
【発明の詳細な説明】
【技術分野】
【０００１】
本発明は、テレビジョン放送受信機やパーソナルコンピュータや携帯電話器や携帯情報端末機など表示機能を有する表示装置およびＤＶＤプレーヤーやＣＤプレーヤーやＨＤＤプレーヤーなど記録媒体に記録されている番組などを再生し出力する再生装置およびＤＶＤレコーダーやＣＤレコーダーやＨＤＤレコーダーなど記録媒体に番組などを記録するとともに再生し出力する再生装置およびそれらの装置に用いられるインターフェース用の装置に関するものである。
【背景技術】
【０００２】
近年、デジタルテレビジョン放送が開始されたのに伴い放送番組のデジタルフォーマットでの伝送や記録が行なわれ始めている（例えば、特許文献１参照。）。また、表示装置と再生装置とを接続するインターフェースも、高速化、無線化の技術開発が進んでいる。
【０００３】
以下に従来の表示装置および再生装置およびそれらに用いる装置について説明する。
【０００４】
図２４および図２７は従来の表示装置および再生装置およびそれらに用いる装置の構成を示すものである。図２４において、４０１は従来の表示装置であるテレビジョン受信機である。４３８はデジタルテレビジョン放送を受信するアンテナである。４０５は受信部Ｄで、チューナユニットから構成される。、受信部Ｄ４０５は、アンテナ４３８が受信したデジタルテレビジョン放送を選局し、映像信号と音声信号などが多重されているＭＰＥＧ−２などのトランスポートストリーム（以下ＴＳと略する）が変調されている信号を出力する。映像信号と音声信号は、ＭＰＥＧ−２規格に則った圧縮を施された後、データ変換される。更にデジタルテレビジョン放送による伝送の際や記録デバイスに記録される際には、所定のサイズのパケットに格納され、多重化されたパケット群から構成されるストリーム変換される。ＭＰＥＧ−２では、このストリームのフォーマットとして、伝送用はトランスポートストリーム（ＴＳ）、記録用はプログラムストリーム（ＰＳ）がそれぞれ規格化されている。ＴＳを構成するパケットをＴＳパケット、ＰＳを構成するパケットをＰＳパケットという。また、ＴＳは記録用としても用いる事ができる。なお、ここで、圧縮フォーマットの信号とは、ＭＰＥＧ−２  ＴＳまたはＭＰＥＧ−２  ＰＳフォーマットの信号とし、そして、非圧縮フォーマットの信号とは、圧縮されていないベースバンドの映像信号または音声信号とする。４０６は復調部Ｄで、受信部Ｄ４０５の出力する信号を放送規格に則った復調方式で復調を行った後ＴＳを出力する。４０７はＴＳデコーダーで、アンテナ４３８が受信するデジタルテレビジョン放送の番組を、選択して出力する。テレビジョン受信機４０１と接続されており、図示しない後述するＤＶＤレコーダー／プレーヤー５０１に記録する際には、ＴＳデコーダー４０７は、復調部Ｄ４０６からＴＳを入力しパケットフィルタリングを行い、記録する番組に関わる映像や音声やデータ放送や番組表のデータが格納されたＴＳを出力する。
【０００５】
一方、アンテナ４３８が受信するデジタルテレビジョン放送の番組を表示する際には、ＴＳデコーダー４０７は、復調部Ｄ４０６からＴＳを入力し、後述するマイコン４１６の制御によりパケットフィルタリングやパケットに格納されているデータの抽出を行い、映像や音声のエレメンタリストリームやデータ放送のＢＭＬデータや番組表のデータを出力する。また、入力するＴＳが有料放送番組などのため、スクランブルされている場合は、ＴＳデコーダー４０７は、スクランブルされたＴＳからデスクランブルする為の鍵を生成するための鍵情報を抽出し、ＩＣカード部４５０に出力する。ＩＣカード部４５０は、入力した鍵情報を基に、デスクランブルする為の鍵を挿入されているＩＣカードから取得し、デスクランブル部４５１に出力する。ＩＣカードは、挿抜可能となっており、ＩＣカードの挿抜の状態をマイコン４１６に出力する事もできる。デスクランブル部４５１は、ＩＣカード４５０からの鍵を入力して、ＴＳデコーダー４０７から入力するスクランブルされているＴＳを入力し鍵を用いてデスクランブルした後にＴＳデコーダー４０７に戻す処理を行う。４０８はＡＶデコーダーで、ＴＳデコーダー４０７の出力する映像や音声のエレメンタリストリームを入力し、ＭＰＥＧ−２などの放送規格に則ったデコード処理を行い、映像信号と音声信号を出力する。また、ＡＶ出コーダー４０８は、データ放送表示時にはデータ放送の定義ファイルで指定される縮小率あるいは拡大率で映像をスケーリング処理および効果音の生成と音声との合成処理もする。この出力映像信号はアナログのＹＵＶ信号であり、音声信号はアナログのＬＲ信号が考えられる。４３４はリモコンで、テレビジョン受信機１のユーザーインターフェースである。４４２は再生キーで、ユーザーが図示しない接続されているＤＶＤレコーダー／プレーヤーの番組を再生したいときに押すキーである。４４１は停止キーで、前記ＤＶＤレコーダー／プレーヤーのユーザーが番組の記録や再生を停止したいときに押すキーである。４４３は番組情報表示キーで、ユーザーが再生中や受信中の番組に関連する情報を表示したいときに押すキーである。４４４は戻るキーで、ユーザーが操作した前の状態に戻りしたいときに押すキーである。４４７はｄキーで、ユーザーがデジタル放送により送信されてくるデータ放送を表示したいときに押すキーである。また図示していないがデータ放送画面を操作するための十字キーなどを備えている。４５３は入力切替キーで、ユーザーが視聴する番組を、放送から受信する番組、あるいは図示しない接続されているＤＶＤレコーダー／プレーヤーが再生する番組に切替たいときに押すキーである。４３９は受光部で、リモコン４３４からの赤外線信号を入力し電気信号に変換し後述するマイコン４１６に出力する。４１６はマイコンで、テレビジョン受信機４０１の各要素の制御を行う。また、マイコン４１６は、受信部Ｄ４０５からＴＳデコーダー４０７経由で入力するデータ放送のＢＭＬデータや番組表のデータを入力し、それらの内容を解釈しバッファーメモリ４１７を用いてデータ放送の画面を構築して描画する。また、マイコン４１６は、番組表や番組関連情報を描画することなどを行う。また、マイコン４１６は、ＮＶＲＡＭ４５２に放送事業者別の固有情報に含まれるユーザーがデータ放送のゲームやクイズ番組などで得たポイントや権利を更新する制御も行う。またユーザーが次回受信時にはこれらのＮＶＲＡＭ４５２に記憶されている放送事業者別の固有情報を使用できるように制御する。これらの動作は、図示していないメモリ上に記憶しているプログラムに応じて実行する。なお、ＮＶＲＡＭ４５２における事業者専用領域は、各放送事業者が占有できる領域として確保されている。放送事業者が放送する番組を受信して視聴した際に得たポイントや権利は、該当する事業者専用領域にマイコン４１６の制御により書き込まれる。４０９は映像スイッチで、図示していない後述するＤＶＤレコーダー／プレーヤー５０１のアナログの映像出力とＡＶデコーダー４０８の出力するアナログの映像信号を入力し、マイコン４１６の制御で切り替えて出力する。４１２は音声スイッチで、図示していない後述するＤＶＤレコーダー／プレーヤー５０１のアナログの音声出力とＡＶデコーダー４０８の出力するアナログの音声信号を入力し、映像スイッチ４０９とともにマイコン４１６の制御で切り替えてまたは合成して出力する。更に、図示しない増幅回路が適した信号レベルに増幅してＲスピーカー４１３およびＬスピーカー４１４に出力する。４１０はＲＧＢプロセッサで、映像スイッチ４０９の出力する映像信号をＲＧＢ信号に変換し、かつ後述するディスプレイ４１１に表示するのに適した信号レベルに増幅するとともに図示しないディスプレイ４１１の同期制御回路の出力する同期信号に合わせて出力する。４４６はＯＳＤコントローラで、マイコン１６の制御で、バッファーメモリ４１７に描画した番組関連情報や番組表やデータ放送の画面やＧＵＩ画面のデータを入力し、ＲＧＢ画素変換しディスプレイ４１１に表示するのに適した信号レベルに増幅するとともに、図示しないディスプレイ４１１の同期制御回路の出力する同期信号に合わせて出力する。４４５はＲＧＢスイッチで、ＲＧＢプロセッサ４１０とＯＳＤコントローラ４４６の出力するＲＧＢデータを入力し、ＯＳＤコントローラ４４６を介したマイコン４１６の制御で合成して出力する。ディスプレイ４１１は例えばＣＲＴデバイスで良い。４１８は従来の装置であるインターフェース装置で、ＩＥＥＥ１３９４に則った物理層を備えており、テレビジョン受信機４０１が受信した放送番組を記録する為にバスに接続されている図示していない後述するＤＶＤレコーダー／プレーヤー５０１に出力する場合のインターフェースである。４１９はＴＳインターフェースで、インターフェース装置４１８の入力信号インターフェースの一つであり、ＴＳデコーダー４０７が出力するＭＰＥＧ−２  ＴＳのパケットを入力する。パケットは例えば映像や音声のエレメンタリストリームのパケットやデータ放送のＢＭＬデータや番組関連情報をＴＳパケットに格納したパケットが考えられる。４２２はマイコンインターフェースで、インターフェース装置４１８の各要素を制御するためマイコン４１６に接続されるとともに、非同期パケットで送信するデータをマイコン４１６の制御で入力する。ここで言う番組関連情報とは記録または再生する番組に関���する情報であり、例えばタイトルや概要や出演者などの付加情報が考えられる。これらの情報は番組表の情報から該当する番組に関連する情報を抽出する事で生成できる。４２３は番組関連情報メモリで、マイコンインターフェース２２から入力する前記番組関連情報を記憶するメモリである。４２４は同期送受信部で、受信するサイクルスタートパケットのタイミングに同期した同期パケットの送受信を行う。帯域を保証する為のチャンネルや連続性を確保する為のデータを含む同期パケット用のヘッダーを、送信データに付加するまたは受信データから同期パケット用のヘッダーを削除するプロトコルを備えている。一般的にはアイソクロナスプロトコルと呼ばれる。４２５は挿入部で、番組関連情報メモリ４２３に記憶されている番組関連情報を、送信データとしてＴＳ様式にパケット化し、ＴＳインターフェース４１９から入力するＴＳに重畳して出力する。重畳の方法は入力するＴＳのギャップに定期的に番組関連情報メモリ４２３から番組関連情報を読み出して挿入する事が考えられる。４２６はＴＳ送受信部で、送信時は挿入部４２５の出力する前記重畳されたＴＳパケットに同期パケット用のヘッダーを付加して同期パケット化して後述するＬＩＮＫ４２９に出力する。４３０は非同期送受信部で、送信時はマイコン４１６の制御によりマイコンインターフェース４２２から入力するデータを格納した非同期パケットを生成し、前記サイクルスタートパケットとは同期させずに後述するＬＩＮＫ４２９に出力する。また受信時はＬＩＮＫ４２９から非同期パケットを入力しマイコンインターフェース４２２に出力する。送信時は送信先ノードや自ノードのアドレスなどを含む非同期パケット用のヘッダーをマイコン４１６の制御により送信データに付加して送信し、受信時は非同期パケット用のヘッダーを削除して出力するプロトコルを備えている。一般的にはアシンクロナスプロトコルと呼ばれる。４２９はＬＩＮＫで、送信時は同期送受信部４２４および非同期送受信部４３０からの送信パケットを入力し。後述するＰＨＹ４３１に適するデータに変換し出力する、また、ＬＩＮＫ４２９は、受信時にはＰＨＹ４３１からの入力データを同期送受信部４２４および非同期送受信部４３０に適するデータに変換して出力する。３１はＰＨＹで、ＩＥＥＥ１３９４規格に則った物理層であり外部の後述するＤＶＤレコーダー／プレーヤー５０１が接続されているバスに接続される。４３２はノード識別情報メモリで、バス上に接続されている装置の中でテレビジョン受信機４０１を識別する為のノード番号およびバス上に接続されている図示しない後述するＤＶＤレコーダー／プレーヤー５０１のノード番号が記憶されている。バスに接続されている装置のノード番号は、バスのコンフィギュレーション時に非同期送受信部４３０などから受信可能であり、マイコン４１６はテレビジョン受信機４０１自身のノード番号や後述するＤＶＤレコーダー／プレーヤー５０１などのノード番号を読み取り認識できる。なおバスに接続されているテレビジョン受信機４０１および後述するＤＶＤレコーダー／プレーヤー５０１とノード番号の関連付けは、装置の属性を示す情報が各ノードからマイコン４１６の制御で受信部���介して取得することがＩＥＥＥ１３９４規格などで規定されており可能である。４３６はチャンネル識別情報メモリで、バス上にテレビジョン受信機４０１と図示しない後述するＤＶＤレコーダー／プレーヤー５０１間に論理的に確保される伝送チャンネルを識別する情報が記憶されている。例えばインターフェース装置４１８のＴＳ送受信部を用いて同期パケットでＴＳを伝送する場合、アイソクロナスプロトコルは、それぞれの同期パケットの送信時にノード間で論理的なチャンネルを確保する為にチャンネル番号が割り振られるため、マイコン４１６は図示しない後述するＤＶＤレコーダー／プレーヤー５０１間に確保されたチャンネル番号を認識できる。
【０００６】
次にテレビジョン受信機４０１に接続される従来の再生装置であるＤＶＤレコーダー／プレーヤーの構成について説明する。図２７において、５０１はＤＶＤレコーダーなどのＤＶＤレコーダー／プレーヤーである。５３７はデジタルテレビジョン放送を受信するアンテナである。５３５は受信部Ｄで、アンテナ５３７が受信したデジタルテレビジョン放送を選局し、映像信号と音声信号が多重されているＴＳを出力する。５３６は復調部Ｄで、受信部Ｄ５３５の出力する信号を放送規格に則った復調方式で復調を行った後ＴＳを出力する。５２２は記録ストリーム選択部で、アンテナ５３７が受信するデジタルテレビジョン放送の番組あるいは後述するインターフェース装置５１７の受信する番組のＴＳを、後述するマイコン５２０の制御で切り替えて出力する。５２７はＴＳデコーダーＡで、アンテナ５３７が受信するデジタルテレビジョン放送の番組を後述するＤＶＤディスク５２４に記録する際には、復調部Ｄ５３６から記録ストリーム選択部５２２を介してＴＳを入力し、後述するマイコン５２０の制御によりパケットフィルタリングやデータの抽出を行い、記録する番組に関わる映像と音声とデータ放送のＢＭＬデータが格納されたＴＳパケットそして番組表のデータを出力する。その場合、ＴＳデコーダーＡ５２７は、後述するマイコン５２０の制御により番組表のデータから記録番組に関連する番組関連情報を入力し、番組関連情報を格納したＴＳパケットを生成して挿入したＴＳを出力する。一方、図示していないテレビジョン受信機４０１が、記録番組の映像と音声およびデータ放送または番組関連情報もＴＳパケットに格納してＤＶＤレコーダー／プレーヤー５０１に送信する際には、ＴＳデコーダーＡ５２７は、ＴＳを後述するインターフェース装置５１７から記録ストリーム選択部５２２を介して入力し、パケットフィルタリングやパケットに格納されているデータの抽出を行い、映像や音声のエレメンタリストリームやデータ放送のＢＭＬデータや番組関連情報を出力する。また、ＴＳデコーダーＡ５２７が入力するＴＳが有料放送番組などにおいてスクランブルされている場合は、ＴＳデコーダーＡ５２７は、スクランブル処理されたＴＳからデスクランブル用の鍵を生成するための鍵情報を抽出し、ＩＣカード部５４９に出力する。ＩＣカード部５４９は入力した鍵情報を基にデスクランブルする為の鍵を挿入されているＩＣカードから取得し、デスクランブル部５５０に出力する。ＩＣカードは挿抜可能となっており、ＩＣカードの挿抜の状態を後述するマイコン５２０に出力する事もできる。デスクランブル部５５０はＩＣカードからの鍵を入力し、ＴＳデコーダーＡ５２７から入力するスクランブルされているＴＳを入力し鍵を用いてデスクランブルした後にＴＳデコーダーＡ５２７に戻す処理を行う。５２３は記録信号処理部で、記録する際のスクランブル回路および変調回路やレーザー等を含んでおり、ＴＳデコーダーＡ５２７から記録用のＴＳを入力し後述するマイコン５２０の制御でＤＶＤディスク５２４に記録する。５２５はサーボコントローラで、サーボ制御とディスク５２４の回転制御やトラッキング等を後述するマイコン５２０の制御で行う。ＤＶＤディスクは青色レーザー対応のＤＶＤディスクが考えられる。５１８はリモコンで、ＤＶＤレコーダー／プレーヤー５０１のユーザーインターフェースである。５４２は録画キーで、受信部Ｄ５３５が受信中の番組をＤＶＤディスク５２４に録画（記録）したいときに押すキーである。５４３は再生キーで、ユーザーがＤＶＤディスク５２４に記録済の番組を再生したいときに押すキーである。５５１は停止キーで、ユーザーが番組の記録や再生を停止したいときに押すキーである。５６３は番組情報表示キーで、ユーザーが再生中や受信中の番組に関連する情報を表示したいときに押すキーである。５６４は戻るキーで、ユーザーが操作した前の状態に戻りしたいときに押すキーである。５６７はｄキーで、ユーザーがデジタル放送により送信されてくるデータ放送を表示したいときに押すキーである。図示していないが後述するインデックスやデータ放送を操作するための十字キーやｄキーなども備えている。５１９は受光部で、リモコン５１８からの赤外線信号を入力し電気信号に変換し後述するマイコン５２０に出力する。５２０はマイコンで、ＤＶＤレコーダー／プレーヤー５０１の各要素の制御、ＤＶＤディスク５２４のファイルシステム制御を行う。そして、マイコン５２０は、ＴＳデコーダーＡ５２７または後述するＴＳデコーダーＢ５４０の出力するデータ放送のＢＭＬデータや番組表のデータや番組関連情報を入力し、バッファーメモリ５２１に蓄積するともに、それらの内容を解釈しバッファーメモリ５２１の別の領域を用いてデータ放送の画面を描画することや番組表や番組関連情報を描画することなどを行う。また、マイコン５２０は、ＮＶＲＡＭ５５２に放送事業者別の固有情報に含まれるユーザーがデータ放送のゲームやクイズ番組などで得たポイントや権利を更新する制御も行う。またユーザーが次回受信時にはＮＶＲＡＭ５５２に記憶されているポイントや権利を読み出してユーザーが使用できるように制御する。これらの動作は、図示していないメモリ上に記憶しているプログラムに応じて実行する。５２９は番組インデックスメモリで、ＤＶＤディスク５２４に記録する番組とＤＶＤディスク上の記録位置の情報をマイコン５２０の制御で関連付けて記憶するメモリである。５４５は再生信号処理部で、ＤＶＤディスク５２４から記録されている番組を読み出す際のピックアップや復調回路やデスクランブル回路等を含み、ＤＶＤディスク５２４から記録されている信号を入力しマイコン５２０の制御によりＴＳに変換して出力する。５４０はＴＳデコーダーＢで、再生信号処理部５４５から入力するＴＳを入力し、マイコン５２０の制御によりパケットフィルタリングやパケットに格納されているデータの抽出を行い、後述するＭＰＥＧ−２デコーダー５４６またはサブピクチャデコーダー５３０に映像や音声のエレメンタリストリームまたはサブピクチャのデータを出力する。それとともに、データ放送のＢＭＬデータや番組関連情報をマイコン５２０に出力する。５４６はＭＰＥＧ−２デコーダーで、ＴＳデコーダーＢ５４０の出力する映像や音声のエレメンタリストリームを入力し、ＭＰＥＧ−２デコード処理を行い映像信号と音声信号を出力するとともに、データ放送表示時には映像をデータ放送の定義ファイルで指定される縮小率あるいは拡大率でスケーリング処理および効果音の生成と音声との合成処理もする。この出力映像信号はアナログのＹＵＶ信号であり音声信号はアナログのＬＲ信号が考えられる。５３０はサブピクチャデコーダーで、マイコン５２０の制御でサブピクチャのデータをＹＵＶ信号に変換して出力する。５５３はＯＳＤコントローラで、マイコン５２０の制御でバッファーメモリ５２１に描画した番組関連情報や番組表やデータ放送の画面やＧＵＩ画面のデータをＹＵＶ信号に変換するとともに内部に備える同期生成回路の出力する同期信号に合わせて出力する。この同期信号はＭＰＥＧ−２デコーダーおよびサブピクチャデコーダーにも出力され、それらの出力ＹＵＶ信号はこの同期信号により同期がかけられる。このＹＵＶ信号はアナログＹＵＶ信号が考えられる。５４７は映像合成部で、ＭＰＥＧ−２デコーダー５４６およびサブピクチャデコーダー５３０およびＯＳＤコントローラ５５３の出力するＹＵＶ信号を入力し、ＯＳＤコントローラ５５３を介したマイコン５２０の制御で合成してＹＵＶ信号を出力する。映像合成部５４６の出力するアナログのＹＵＶ信号、ＭＰＥＧ−２デコーダー５４６が出力するアナログのＬＲ信号は図示していないテレビジョン受信機４０１に出力される。５１７は従来のインターフェース装置で、物理層に対応するＩＥＥＥ１３９４規格に則った物理層を備えており、記録済み番組を再生して表示する場合にバスに接続されている図示していないテレビジョン受信機４０１に出力する為のインターフェースである。５０９はＴＳインターフェースで、インターフェース装置５１７の出力信号インターフェースの一つであり、記録ストリーム選択部５２２にＴＳパケットを出力し、ＴＳパケットは例えば映像や音声のエレメンタリストリームやデータ放送のＢＭＬデータや番組関連情報を格納したパケットが考えられる。５１２はマイコンインターフェースで、インターフェース装置５１７の各要素を制御するためマイコン５２０に接続されるとともに、非同期パケットで送信するデータをマイコン５２０の制御で入力する。５０５は同期送受信部で、受信するサイクルスタートパケットのタイミングに同期した同期パケットの送受信を行う。帯域を保証する為のチャンネルや連続性を確保する為のデータを含む同期パケット用のヘッダーを送信データに付加する、または受信データから同期パケット用のヘッダーを削除するプロトコルを備えている。一般的にはアイソクロナスプロトコルと呼ばれる。５０６はＴＳ受信部で、受信時は後述するＬＩＮＫ５０３から入力する同期パケット用のヘッダーを削除してＴＳインターフェース５０９に出力する。５０４は非同期送受信部で、送信時はマイコン５２０の制御によりマイコンインターフェース５１２から入力するデータを格納した非同期パケットを生成し、前記サイクルスタートパケットと同期せずに後述するＬＩＮＫ５０３に出力する。また、非同期送受信部５０４は、受信時には後述するＬＩＮＫ５０３から非同期パケットを入力しマイコンインターフェース５１２に出力する。送信時は送信先ノードや自ノードのアドレスなどを含む非同期パケット用のヘッダーをマイコン５２０の制御により送信データに付加して送信し、受信時は非同期パケット用のヘッダーを削除して出力するプロトコルを備えている。非同期パケット用のヘッダーなどは後述する。一般的にはアシンクロナスプロトコルと呼ばれる。５０３はＬＩＮＫで、送信時は同期送受信部５０５および非同期送受信部５０４からの送信パケットを入力し、後述するＰＨＹ５０２に適するデータに変換し出力する、受信時にはＰＨＹ５０２からの入力データを同期送受信部５０５および非同期送受信部５０４に適するデータに変換して出力する。５０２はＰＨＹで、ＩＥＥＥ１３９４規格に則った物理層であり外部の図示していないテレビジョン受信機４０１が接続されているバスに接続される。５１４はノード識別情報メモリで、バス上に接続されている装置の中でＤＶＤレコーダー／プレーヤー５０１を識別する為のノード番号およびバス上に接続されている図示しないテレビジョン受信機４０１のノード番号が記憶されている。バスに接続されている装置のノード番号はバスのコンフィギュレーション時に非同期送受信部５０４などから受信可能であり、マイコン５２０はＤＶＤレコーダー／プレーヤー５０１自身のノード番号やテレビジョン受信機４０１などのノード番号を読み取り認識できる。なおバスに接続されているテレビジョン受信機４０１およびＤＶＤレコーダー／プレーヤー５０１とノード番号の関連付けは、装置の属性を示す情報が各ノードからマイコン５２０の制御で受信部を介して取得可能であるため可能である。５１５はチャンネル識別情報メモリで、ＤＶＤレコーダー／プレーヤー５０１と図示しないテレビジョン受信機４０１間に確保される伝送チャンネルを識別する情報が記憶されている。例えばインターフェース装置５１７のＴＳ送受信部を用いて同期パケットで映像や音声のデータやＢＭＬデータ／番組関連情報を伝送する場合、アイソクロナスプロトコルではそれぞれの同期パケットの送信時にノード間で論理的なチャンネルを確保する為にチャンネル番号が割り振られるため、マイコン５２０は図示しないテレビジョン受信機４０１間に確保されたチャンネル番号を認識できる。
【０００７】
なお以上に説明した同期パケットや非同期パケットの構成はＩＥＥＥ１３９４規格に示されているので説明は省略する。ＩＥＥＥ１３９４規格に則ったパケットの書式は、図示していないメモリに記憶されている。なお、番組の再生の際にＩＥＥＥ１３９４バスを用いてＴＳ出力する場合もあるが、その場合は一般的に表示装置のＡＶデコーダーは早送りや巻き戻し再生などの特殊再生の機能が再生装置に比べ不十分である事が多く、特殊再生に制限が出るために、番組の再生の際は復号後の映像信号や音声信号を出力することを優先させている例を示した。
【０００８】
次に従来の表示装置および再生装置およびそれらに用いるインターフェース装置の動作について図面を参照しながら説明する。図２５と図２８を用いてＤＶＤレコーダー／プレーヤー５０１が再生する番組をテレビジョン受信機４０１が表示する第一の例を説明する。図２５はＤＶＤレコーダー／プレーヤー４０１が再生し出力する記録番組の映像と音声を、テレビジョン受信機４０１が表示する際の動作フローチャート、図２８はＤＶＤレコーダー／プレーヤー５０１が番組を再生し映像と音声を出力する際の動作フローチャートである。図２５において、まずユーザーがテレビジョン受信機４０１のリモコン４３４の再生キー４４２を用いてＤＶＤレコーダー／プレーヤー５０１へ番組の再生を指示する操作を行った場合（ＳＴＥＰ４０１）、マイコン４１６は受光部４３９からの信号を解釈し、再生コマンドを生成してインターフェース装置４１８の非同期送受信部４３０を用いて、再生コマンドを格納した非同期パケットをＤＶＤレコーダー／プレーヤー５０１に送信する（ＳＴＥＰ４０２）。図２８において、ＤＶＤレコーダー／プレーヤー５０１は、ＳＴＥＰ４０２で送信されたコマンドを非同期送受信部５０４を用いて受信し（ＳＴＥＰ６０１）、マイコン５２０は再生コマンドを解釈する。マイコン５２０は、番組インデックスメモリ５２９に記憶されているデータを検索し、再生する番組の開始位置を確認し再生の準備を行う（ＳＴＥＰ６０２）。この場合再生する番組は直前に記録された番組でもＳＴＥＰ６０１で受信したコマンド内で指示されている番組でも良い。マイコン５２０の制御でサーボコントローラ５２５や再生信号処理部５４５は、ＤＶＤディスク５２４に記録済みの番組を開始位置から読み出して出力する。マイコン５２０の制御でＴＳデコーダーＢ５４０は、映像と音声のＭＰＥＧ−２エレメンタリストリームおよびサブピクチャデータを抽出し、ＭＰＥＧ−２デコーダー５４６およびサブピクチャデコーダー５３０に出力するとともに、ＢＭＬデータと番組関連情報をマイコン３２０に出力する（ＳＴＥＰ６０５）。ＭＰＥＧ−２デコーダー５４６とサブピクチャデコーダー５３０は、それぞれ復号し、ＹＵＶ信号とＬＲ信号を生成する（ＳＴＥＰ６０６）。マイコン５２０は復号され合成されたＹＵＶ信号およびＬＲ信号を、テレビジョン受信機４０１にアナログ映像および音声により出力するよう制御する（ＳＴＥＰ６０７）。図２５において、その後テレビジョン受信機４０１は、アナログＹＵＶ信号とアナログＬＲ信号で映像や音声を入力するが（ＳＴＥＰ４０５）、ユーザーがリモコン４３４の入力切替キー４５３を用いて入力切り替えの操作を行なうと、マイコン４１６はその操作を認識して、映像スイッチ９と音声スイッチ１２を図示していないＤＶＤレコーダー／プレーヤー５０１に接続されているアナログ入力端子側に切り替えて（ＳＴＥＰ４０６）、入力する映像や音声を表示するように制御する（ＳＴＥＰ４０７）。
【０００９】
次に再生番組の番組関連情報を表示する例を図２９を用いて説明する。図２９はＤＶＤレコーダー／プレーヤー３０１が番組関連情報を出力する際の例である。図２９はＳＴＥＰ４０７の後にユーザーがＤＶＤレコーダー／プレーヤー５０１のリモコン５１８の番組情報表示キー５６３を押して再生中の番組に関連する番組関連情報の表示を指示する場合の説明である。マイコン５２０は、その指示を解釈する。マイコン５２０はＳＴＥＰ６０５で再生中である番組の番組関連情報の表示指示を認識する（ＳＴＥＰ６４１）。マイコン５２０は再生中の番組の番組関連情報をＴＳデコーダーＢ５４０を用いて取得し、ＯＳＤコントローラ５５３と映像合成部５４７を用いて映像に合成して出力する様制御する（ＳＴＥＰ６４２）。その後ユーザーは番組関連情報を見ながらリモコン５１８を用いて番組関連情報の表示画面のスクロール等を行うことができるが、ユーザーがリモコン５１８の戻るキー５６４を押して番組関連情報の表示を止める指示を行った場合、マイコン５２０は、再生中である番組の番組関連情報の表示終了要求を認識し（ＳＴＥＰ６４３）、ＳＴＥＰ６４２での番組関連情報の画面の出力を終了する（ＳＴＥＰ６４４）。
【００１０】
次に再生する番組に関わるデータ放送を表示する例を図３０を用いて説明する。図３０はＤＶＤレコーダー／プレーヤー５０１がデータ放送画面を出力する際の例である。図３０は、ユーザーがＳＴＥＰ６０５で再生された番組に関連するデータ放送の表示をＤＶＤレコーダー／プレーヤー５０１のリモコン５１８のｄキー５６７を押して指示する例を説明する。マイコン５２０はデータ放送画面の表示指示を認識し（ＳＴＥＰ６６１）、マイコン５２０は、再生中の番組に関わるＢＭＬ定義ファイルやＢＭＬデータをＴＳデコーダーＢ５４０から入力し、定義ファイルを解釈するとともに、その定義に応じたデコードをマイコン５２０が施し、再生中の番組の映像にデータ放送の先頭画面をＢＭＬ定義ファイルで示されている様式でＯＳＤコントローラ５５３や映像合成部５４７を制御して合成する。また定義ファイルに映像のスケーリング指示が示されていた場合は、マイコン５２０は、ＳＴＥＰ６０６においてデコードする映像のデータを、ＭＰＥＧ−２デコーダー５４６を用いて定義ファイルの指示に応じたスケーリング処理を行いデータ放送の先頭画面と合成して表示するように制御する。また定義ファイルに効果音の出力指示が示されていた場合は、マイコン５２０は、ＳＴＥＰ６０６においてデコードする音声のデータにＭＰＥＧ−２デコーダー５４６を用いて生成した効果音を合成して出力するように制御する（ＳＴＥＰ６６２）。その後ユーザーはリモコン５１８を用いてデータ放送の画面を操作しページ送り等を行うことができるが、リモコン５１８のｄキー５６７を押してＳＴＥＰ６６２で合成されているデータ放送画面の表示を止める指示を行った場合、マイコン３２０は解釈し（ＳＴＥＰ６６３）、ＳＴＥＰ６６２でのデータ放送画面のデコードおよび表示そして映像のスケーリングそして効果音の生成および合成を終了する（ＳＴＥＰ６６４）。
【００１１】
図２６と図３１は再生中の番組の映像と音声を表示終了する際の動作例である。図２６はテレビジョン受信機４０１が表示終了する際、図３１はＤＶＤレコーダー／プレーヤー５０１が番組の再生を終了する際の例である。図２６においてユーザーがテレビジョン受信機４０１のリモコン４３４の停止キー４４１を用いてＤＶＤレコーダー／プレーヤー５０１の再生停止を指示する操作を行った場合（ＳＴＥＰ４７１）、マイコン４１６は受光部４３９からの信号を解釈し、再生停止コマンドを生成してインターフェース装置４１８の非同期送受信部４３０を用いて再生停止コマンドを格納した非同期パケットをＤＶＤレコーダー／プレーヤー５０１に送信する（ＳＴＥＰ４７２）。図３１においてＤＶＤレコーダー／プレーヤー５０１は再生停止するコマンドと関連付けのデータを、非同期送受信部５０４を用いて受信し（ＳＴＥＰ６７１）、マイコン５２０は番組の再生とパケットの送信を終了させる（ＳＴＥＰ６７２）。マイコン４１６は映像の表示と音声の出力を終了する（ＳＴＥＰ４７３）。
【特許文献１】特開２０００−２６１８０２号公報
【発明の開示】
【発明が解決しようとする課題】
【００１２】
しかしながら上記のような構成や動作では、ＤＶＤプレーヤーなどの再生装置が再生する番組における番組関連情報またはデータ放送を、ユーザーは、テレビジョン受信機などの表示装置で復号しての表示およびテレビジョン受信機のリモコンでデータ放送表示画面の操作ができないという問題と、特に再生装置の再生する番組に関するデータ放送画面を表示装置に表示する際には、ユーザーは、テレビジョン受信機に記憶されている放送事業者別の固有情報、例えばデータ放送においてユーザが取得したポイントや権利を適用することができないという問題が発生していた。
【００１３】
また、表示装置であるテレビジョン受信機などと再生装置であるＤＶＤレコーダー／プレーヤーとの接続はＩＥＥＥ１３９４信号とアナログのＹＵＶ信号とアナログのＬＲ信号のように、異なるプロトコルを持つ複数の伝送路をもって接続する必要があり、単一の通信規格を持って論理的チャンネルで接続することができないため、再生装置と表示装置の接続は、無線伝送化を図りにくいという問題、また、有線伝送であっても、少なくとも３種類のケーブルを用いる必要があり、煩雑になるという問題が発生していた。
【００１４】
本発明は上記従来の問題点を解決する表示装置および再生装置それらに用いるインターフェース装置を提供することを目的とする。
【課題を解決するための手段】
【００１５】
本発明の表示装置は、再生装置の記録媒体から読み出された記録情報を、伝送媒体を介して受信し映像情報および音声情報を出力する表示装置において、伝送媒体上に確保される第一の伝送チャンネルから復号後の非圧縮フォーマットの映像情報と第二の伝送チャンネルから復号後の非圧縮フォーマットの音声情報とを受信し、記録番組の関連情報または関連するデータ放送番組情報をトランスポートストリームフォーマットで第三の伝送チャンネルから受信する受信手段と、前記再生装置からコマンドを受信するコマンド受信手段と、前記再生装置にコマンドを送信するコマンド送信手段と、放送波または通信網から放送番組を受信する放送受信手段と、前記放送受信手段が受信する放送番組の映像情報および音声情報を適切な復号方式で復号する第一の復号手段と、前記受信手段が受信する記録番組の関連情報またはデータ放送番組情報あるいは前記放送受信手段が受信する放送番組の関連情報またはデータ放送番組情報を入力し適切な復号方式で復号する第二の復号手段と、前記受信手段が受信する記録番組の映像情報および音声情報と前記第一の復号手段が出力する放送番組の映像情報および音声情報を入力し選択して映像情報および音声情報を出力する選択手段と、前記選択手段が出力する映像情報および音声情報と前記第二の復号手段が復号する映像情報および音声情報とを合成／選択して出力する出力手段と、ユーザーが放送番組を受信して取得した放送事業者別の固有情報を蓄積する不揮発性メモリと、記録番組に関わる映像情報および音声情報を出力する際には、受信するコマンドに格納されている記録番組の映像情報および音声情報と関連情報または関連するデータ放送番組情報と伝送チャンネルとの関連付けを示した情報を基にして、前記第二の復号手段の復号および前記出力手段における前記第二の復号手段が出力する映像情報および音声情報の合成／選択のオン／オフを制御し、前記不揮発性メモリから放送事業者別の固有情報を読み出して前記コマンド送信手段を用いて送信するように制御する制御手段とを備えることを特徴とする。
【００１６】
また、本発明の再生装置は、記録媒体から読み出した記録情報を、トランスポートストリームフォーマットで記録されている記録番組を映像情報および音声情報と関連情報および関連するデータ放送番組情報とに分離する分離手段と、前記分離手段の出力する映像情報および音声情報を復号する第一の復号手段と、前記分離手段の出力する記録番組の関連情報またはデータ放送番組情報を適切な復号方式で復号する第二の復号手段と、前記第一の復号手段が出力する映像情報および音声情報と前記第二の復号手段が復号する映像情報および音声情報とを合成／選択して出力する出力手段と、前記出力手段の出力する非圧縮フォーマットの映像情報および音声情報を伝送媒体上に確保する第一および第二の伝送チャンネルで送信し前記分離手段の出力する復号前の記録番組の関連情報および関連するデータ放送番組情報を伝送媒体上に確保する第三の伝送チャンネルで送信する送信手段と、前記表示装置からコマンドを受信するコマンド受信手段と、前記表示装置にコマンドを送信するコマンド送信手段と、ユーザーが放送番組を受信して取得した放送事業者別の固有情報を蓄積する不揮発性メモリと、前記記録番組に関わる映像情報および音声情報と記録番組の関連情報および関連するデータ放送番組情報と伝送チャンネルとの関連付けを示すコマンドを送信するように制御し、記録番組の関連情報またはデータ放送番組を前記表示装置に送信する際には、前記関連付けに基づいて、前記第二の復号手段の復号および前記出力手段における前記第二の復号手段が復号する映像情報および音声情報の合成／選択のオン／オフを制御し、前記コマンド受信手段が前記表示装置の不揮発性メモリに記憶されている放送事業者別の固有情報を受信した場合、受信した前記表示装置の不揮発性メモリに記憶されている放送事業者別の固有情報を適用して前記第二の復号手段が適切に復号するように制御する制御手段とを備えることを特徴とする。
【発明の効果】
【００１７】
本発明の表示装置および再生装置それらに用いるインターフェース装置において、テレビジョン受信機などの表示装置は、ＤＶＤプレーヤーなどの再生装置が再生する番組における番組関連情報またはデータ放送データを、映像、音声データと関連付けて受信し伝送フォーマットに応じて復号できることにより、テレビジョン受信機は、再生番組のデータ放送を、放送から受信する場合と同様に、映像、音声と関連付けながらの表示やリモコンによる操作が可能となる。よって、従来の、表示装置と再生装置の双方のリモコンを用いて操作していた煩わしさの問題が解決される。
【００１８】
また、再生装置は、番組を再生する際に表示装置に記憶されている放送事業者別の固有情報を利用できるようになる。よって、従来の、再生装置が再生する番組に関わるデータ放送画面の表示の際には、ユーザーが表示装置を用いてデータ放送を受信した際に取得したポイントや権利を適用することができないため、再生する場合のデータ放送に対して過去の受信履歴を利用できないという不便さの問題を解決することができる。
【００１９】
また、番組における映像信号データ、音声信号データそしてデータ放送のデータ、番組関連情報のデータを関連付けながら、接続形態に応じた適切な伝送フォーマットで伝送することが可能となる為に、再生装置と表示装置間の接続は、単一の通信規格の無線通信でできないという問題、また、有線伝送であっても、少なくとも３種類のケーブルを用いる必要があり、煩雑になるという問題を解決することができることを特徴とする。
【発明を実施するための最良の形態】
【００２０】
以下では、当該発明にかかる実施するための最良の形態について、図面を参照しつつ説明を行う。
（実施の形態１）
以下本発明の実施の形態１を、図面を参照しながら説明する。図１は、本発明の実施の形態１に係るシステムの構成を示す図である。図１において、１はテレビジョン受信機である。３８はデジタルテレビジョン放送を受信するアンテナである。５は受信部Ｄでチューナユニットから構成される。受信部Ｄ５は、アンテナ３８が受信したデジタルテレビジョン放送を選局し、映像信号と音声信号などが多重されているＭＰＥＧ−２などのＴＳが変調されている信号を出力する。映像信号と音声信号は、ＭＰＥＧ−２規格に則った圧縮を施された後、データ変換される。更にデジタルテレビジョン放送による伝送の際や記録デバイスに記録される際には、所定のサイズのパケットに格納され、多重化されたパケット群から構成されるストリーム変換される。ＭＰＥＧ−２では、このストリームのフォーマットとして、伝送用はトランスポートストリーム（ＴＳ）、記録用はプログラムストリーム（ＰＳ）がそれぞれ規格化されている。ＴＳを構成するパケットをＴＳパケット、ＰＳを構成するパケットをＰＳパケットという。また、ＴＳは記録用としても用いる事ができる。なお、ここで、圧縮フォーマットの信号とは、ＭＰＥＧ−２  ＴＳまたはＭＰＥＧ−２  ＰＳフォーマットの信号とし、そして、非圧縮フォーマットの信号とは、圧縮されていないベースバンドの映像信号または音声信号とする。６は復調部Ｄで、受信部Ｄ５の出力する信号を放送規格に則った復調方式で復調を行った後ＴＳを出力する。７はＴＳデコーダーで、アンテナ３８が受信するデジタルテレビジョン放送の番組を選択して出力する。ＴＳデコーダ７は、テレビジョン受信機１に接続されている図示しない後述するＤＶＤレコーダー／プレーヤー３０１に番組を記録する際には、復調部Ｄ６からＴＳを入力しパケットフィルタリングを行い、記録する番組に関わる映像や音声やデータ放送や番組表のデータが格納されたＴＳを出力する。一方、アンテナ３８が受信するデジタルテレビジョン放送の番組を表示する際には、ＴＳデコーダ７は、復調部Ｄ６からＴＳを入力し後述するマイコン１６の制御によりパケットフィルタリングやパケットに格納されているデータの抽出を行い、映像や音声のエレメンタリストリームやデータ放送のＢＭＬデータや番組表のデータを出力する。また、ＴＳデコーダ７は、図示していない後述するＤＶＤレコーダー／プレーヤー３０１が送信する番組を再生した後の映像と音声をデコードした非圧縮フォーマットの信号と圧縮フォーマットの番組に関わるデータ放送のＢＭＬデータまたは番組関連情報とを表示する際には、データ放送のＢＭＬデータや番組関連情報を格納したパケットを、後述するインターフェース装置１８から入力し、パケットフィルタリング処理およびパケットに格納されているデータの抽出処理を行い、データ放送のＢＭＬデータ、番組関連情報を出力する。一方、図示していない後述するＤＶＤレコーダー／プレーヤー３０１が送信する記録済み番組の映像と音声のデコード前の圧縮フォーマットの信号と圧縮フォーマットのデータ放送のＢＭＬデータまたは番組関連情報とを表示する際には、ＴＳデコーダ７は、ＴＳを後述するインターフェース装置１８から入力し、パケットフィルタリング��理およびパケットに格納されているデータの抽出処理を行い、映像や音声のエレメンタリストリーム、データ放送のＢＭＬデータ、番組関連情報を出力する。また、入力するＴＳが有料放送番組などのためスクランブルされている場合は、ＴＳデコーダ７は、スクランブルされたＴＳからデスクランブルする為の鍵を生成するための鍵情報を抽出し、ＩＣカード部５０に出力する。ＩＣカード部５０は、入力した鍵情報を基にデスクランブルする為の鍵を挿入されているＩＣカードから取得し、デスクランブル部５１に出力する。ＩＣカードは挿抜可能となっておりＩＣカードの挿抜の状態をマイコン１６に出力する事もできる。デスクランブル部５１はＩＣカード５０からの鍵を入力して、ＴＳデコーダー７から入力するスクランブルされているＴＳを入力し、鍵を用いてデスクランブルした後にＴＳデコーダー７に戻す処理を行う。８はＡＶデコーダーで、ＴＳデコーダー７の出力する映像や音声のエレメンタリストリームを入力し、ＭＰＥＧ−２などの放送規格に則ったデコード処理を行い、映像信号と音声信号を出力するとともに、アンテナ３８から受信するデータ放送表示時にはデータ放送の定義ファイルで指定される縮小率あるいは拡大率で映像をスケーリング処理、および効果音の生成と音声との合成処理もする。この出力映像信号はデジタルのＹＵＶ信号であり音声信号はデジタルのＬＲ信号が考えられる。このＹＵＶ信号はＩＴＵ−Ｒ  ＢＴ．６５６−４で示されているような信号が考えられる。３４はリモコンで、テレビジョン受信機１のユーザーインターフェースである。３５は録画キーで、受信中の番組を図示しない後述するＤＶＤレコーダー／プレーヤー３０１に録画（記録）したいときに押すキーである。４２は再生キーで、ユーザーが図示しない接続されているＤＶＤレコーダー／プレーヤーの番組を再生したいときに押すキーである。４１は停止キーで、前記ＤＶＤレコーダー／プレーヤーのユーザーが番組の記録や再生を停止したいときに押すキーである。４３は番組情報表示キーで、ユーザーが再生中や受信中の番組に関連する情報を表示したいときに押すキーである。４４は戻るキーで、ユーザーが操作した前の状態に戻りしたいときに押すキーである。４７はｄキーで、ユーザーが再生中や受信中の番組のデータ放送を表示したいときに押すキーである。また図示していないがデータ放送画面を操作するための十字キーなどを備えている。３９は受光部で、リモコン３４からの赤外線信号を入力し電気信号に変換し後述するマイコン１６に出力する。１６はマイコンで、テレビジョン受信機１の各要素の制御を行う。そして、マイコン１６は、受信部Ｄ５からＴＳデコーダー７経由で入力するデータ放送のＢＭＬデータや番組表のデータ、または後述するインターフェース装置１８からＴＳデコーダー７経由で入力するデータ放送のＢＭＬデータまたは番組関連情報を入力し、それらの内容を解釈しバッファーメモリ１７を用いて、データ放送の画面を構築して描画することや、番組表や番組関連情報を描画することなどを行う。また、マイコン１６は、ＮＶＲＡＭ５２に蓄積されている放送事業者別の固有情報に含まれるユーザーがデータ放送のゲームやクイズ番組などで得たポイントや権利を更新する制御も行う。また、マイコン１６は、ユーザーが次回受信時にはこれらのＮＶＲＡＭ５２に記憶されている放送事業者別の固有情報を読み出してユーザーが使用できるように制御する。これらの制御は図示していないメモリ上に記憶しているプログラムに応じて実行する。４８はＹＵＶスケーリング部で、図示していない後述するＤＶＤレコーダー／プレーヤー３０１から記録番組の映像のデコード後の非圧縮フォーマットのＹＵＶ信号を後述するインターフェース装置１８経由で入力し、インターフェース装置１８からＴＳデコーダー７経由で受信したデータ放送の定義ファイルで指定される縮小率あるいは拡大率にスケーリングして出力する。９は映像スイッチで、ＹＵＶスケーリング４８とＡＶデコーダー８の出力する映像信号を入力し、マイコン１６の制御で切り替えて出力する。４９は音声合成部で、マイコン１６の制御によりデータ放送の定義ファイルに応じて、ＡＶデコーダー８が生成した効果音のＬＲ信号と、図示していない後述するＤＶＤレコーダー／プレーヤー３０１から受信し後述するインターフェース装置１８経由で入力する非圧縮フォーマットのＬＲ信号とを所定の合成率で合成して出力する。１２は音声スイッチで、音声合成部４９とＡＶデコーダー８の出力する音声信号とを入力し、映像スイッチ９とともにマイコン１６の制御で切り替えて出力する。１０はＲＧＢプロセッサで、映像スイッチ９の出力する映像信号をＲＧＢ信号に変換して後述するディスプレイ１１に表示するのに適した信号レベルに増幅するとともに、図示しないディスプレイ１１の同期制御回路の出力する同期信号に合わせて出力する。４６はＯＳＤコントローラで、マイコン１６の制御でバッファーメモリ１７に描画した番組関連情報や番組表やデータ放送の画面やＧＵＩ画面のデータを入力し、ＲＧＢ画素変換し、ディスプレイ１１に表示するのに適した信号レベルに増幅するとともに、図示しないディスプレイ１１の同期制御回路の出力する同期信号に合わせて出力する。４５はＲＧＢスイッチで、ＲＧＢプロセッサ１０とＯＳＤコントローラ４６の出力するＲＧＢデータを入力し、ＯＳＤコントローラ４６を介したマイコン１６の制御で合成して出力する。ディスプレイ１１は例えばＣＲＴ、ＰＤＰ、ＬＣＤなどのあらゆる表示デバイスで良く、テレビジョン受信機１の外部にあっても良い。３７はＤＡＣで、音声スイッチ１２の出力する音声信号をアナログ変換して出力する。更に図示しない増幅回路が適した信号レベルに増幅してＲスピーカー１３およびＬスピーカー１４に出力する。なおＲスピーカー１３およびＬスピーカー１４はテレビジョン受信機１の外部にあっても良い。１８はインターフェース装置で、例えば有線であれば、ＩＥＥＥ１３９４またはＩＥＥＥ８０２．３またはＵＳＢ規格またはＨＤＭＩやＤＶＩ、無線であればＩＥＥＥ８０２．１１またはＵＷＢなどに則った物理層を備えている。
【００２１】
インターフェース装置１８は、テレビジョン受信機１が受信した放送番組を記録する為にバスに接続されている図示していない後述するＤＶＤレコーダー／プレーヤー３０１に出力する場合や後述するＤＶＤレコーダー／プレーヤー３０１が再生した番組の信号を入力する場合のインターフェースである。１９はＴＳインターフェースで、インターフェース装置１８の入力信号および出力信号インターフェースの一つであり、ＴＳデコーダー７が出力するＭＰＥＧ−２  ＴＳなどの圧縮フォーマットの信号を入力する場合とＴＳデコーダー７にＭＰＥＧ−２  ＴＳなどの圧縮フォーマットの信号を出力する場合がある。パケットは例えば映像や音声のエレメンタリストリームやデータ放送のＢＭＬデータや番組関連情報を格納したパケットが考えられる。２０はＹＵＶインターフェースで、インターフェース装置１８の出力信号インターフェースの一つでありＩＴＵ−Ｒ  ＢＴ．６５６−４で示されているような非圧縮フォーマットのＹＵＶ映像の信号を出力する。２１はＬＲインターフェースで、インターフェース装置１８の出力信号インターフェースの一つでありＩ２Ｓのような非圧縮フォーマットのＬＲ音声の信号を出力する。この例ではＬＲの２チャンネルとしたがチャンネル数を増やして５．１チャンネル対応する場合も考えられる。２２はマイコンインターフェースで、インターフェース装置１８の各要素を制御するためマイコン１６に接続されるとともに、番組関連情報など後述する非同期パケットで送信するデータをマイコン１６の制御で入力することや、後述する非同期パケットで受信するデータ放送のＢＭＬデータや番組関連情報をマイコン１６の制御で出力する。ここで言う番組関連情報とは記録または再生する番組に関連する情報であり、例えばタイトルや概要や出演者などの付加情報が考えられる。これらの情報は番組表の情報から該当する番組に関連する情報を抽出する事で生成できる。２３は番組関連情報メモリで、マイコンインターフェース２２から入力する前記番組関連情報を記憶するメモリである。２４は同期送受信部で、受信するサイクルスタートパケットのタイミングに同期した同期パケットの送受信を行う。帯域を保証する為のチャンネルや連続性を確保する為のデータを含む同期パケット用のヘッダーを送信データに付加するまたは受信データから同期パケット用のヘッダーを削除するプロトコルを備えている。一般的にはアイソクロナスプロトコルと呼ばれる。２５は挿入部で、番組関連情報メモリ２３に記憶されている番組関連情報を送信データとしてＴＳパケットに格納してＴＳインターフェース１９からの入力ＴＳに重畳して出力する。重畳の方法は入力するＴＳのギャップに定期的に番組関連情報メモリ２３から番組関連情報を読み出して挿入する事が考えられる。２６はＴＳ送受信部で、送信時は挿入部２５の出力する前記重畳されたＴＳパケットに同期パケット用のヘッダーを付加して同期パケット化して後述するＬＩＮＫ２９に出力する、また、受信時にはＬＩＮＫ２９から入力する同期パケット用のヘッダーを削除してＴＳインターフェース１９に出力する。２７はＹＵＶ受信部で、分割された非圧縮フォーマットの映像信号を格納した同期パケットを後述するＬＩＮＫ２９から入力し、同期パケット用のヘッダーを削除するとともに非圧縮フォーマットの映像信号を適切に結合しＹＵＶインターフェース２０に出力する。映像信号の分割は送信帯域に応じて決定されるライン数毎に行われる事が考えられ、結合時の各ラインの時間間隔は映像フォーマットで一意的に決まるため、結合はフォーマットを予め認識することにより分割されたライン間を分割前の状態に戻すことが可能である。２８はＬＲ受信部で、分割された非圧縮フォーマットの音声信号を格納した同期パケットを後述するＬＩＮＫ２９から入力し、同期パケット用のヘッダーを削除するとともに非圧縮フォーマットの音声信号を適切に結合しＬＲインターフェース２１に出力する。音声信号の分割は送信帯域に応じて決定されるサンプル数毎に行われる事が考えられ、各サンプルの時間間隔は音声フォーマットで一意的に決まりサンプル周波数は同期パケットの受信周期より長い為、結合はフォーマットやサンプル周波数を予め認識する事により分割されたサンプル間を分割前の状態に戻すことが可能である。以上の結合における認識は図１２で同期パケットの構成例で示すように音声のサンプリング周波数を始めとしたフォーマットを識別する情報は同期パケット用のヘッダーに格納されていることから受信側でも認識可能である。３０は非同期送受信部で、送信時はマイコン１６の制御によりマイコンインターフェース２２から入力するデータを格納した非同期パケットを生成し、前記サイクルスタートパケットとは同期させずに後述するＬＩＮＫ２９に出力する。また受信時はＬＩＮＫ２９から非同期パケットを入力しマイコンインターフェース２２に出力する。送信時は送信先ノードや自ノードのアドレスなどを含む非同期パケット用のヘッダーをマイコン１６の制御により送信データに付加して送信し、受信時は非同期パケット用のヘッダーを削除して出力するプロトコルを備えている。一般的にはアシンクロナスプロトコルと呼ばれる。パケットの構成例は後述する。また、非同期送受信部３０は番組関連情報を送信する際には、番組関連情報メモリ２３に記憶されている番組関連情報を入力し、非同期パケット用のヘッダーを付加して非同期パケット化して送信することができるため番組関連情報メモリをＴＳ送受信部用と別途に備える必要はない。２９はＬＩＮＫで、送信時は同期送受信部２４および非同期送受信部３０からの送信パケットを入力し、後述するＰＨＹ３１に適するデータに変換し出力する。ＬＩＮＫ２９は、受信時にはＰＨＹ３１からの入力データを同期送受信部２４および非同期送受信部３０に適するデータに変換して出力する。３１はＰＨＹで、ＩＥＥＥ１３９４またはＩＥＥＥ８０２．３またはＵＳＢ規格またはＨＤＭＩ規格またはＩＥＥＥ８０２．１１またはＵＷＢに則った物理層であり外部の後述するＤＶＤレコーダー／プレーヤー３０１が接続されているバスに接続される。３２はノード識別情報メモリで、バス上に接続されている装置の中でテレビジョン受信機１を識別する為のノード番号およびバス上に接続されている図示しない後述するＤＶＤレコーダー／プレーヤー３０１のノード番号が記憶されている。バスに接続されている装置のノード番号はバスのコンフィギュレーション時に非同期送受信部３０などから受信可能であり、マイコン１６はテレビジョン受信機１自身のノード番号や後述するＤＶＤレコーダー／プレーヤー３０１などのノード番号を読み取り認識できる。なおバスに接続されているテレビジョン受信機１および後述するＤＶＤレコーダー／プレーヤー３０１とノード番号の関連付けは、装置の属性を示す情報が各ノードからマイコン１６の制御で受信部を介して取得することがＩＥＥＥ１３９４規格などそれぞれの規格で可能である。３６はチャンネル識別情報メモリで、バス上にテレビジョン受信機１と図示しない後述するＤＶＤレコーダー／プレーヤー３０１間に論理的に確保される伝送チャンネルを識別する情報が記憶されている。例えばインターフェース装置１８のＴＳ送受信部を用いて同期パケットで映像や音声のデータやＢＭＬデータ／番組関連情報を伝送する場合、アイソクロナスプロトコルは、それぞれの同期パケットの送信時にノード間で論理的なチャンネルを確保する為にチャンネル番号が割り振られるため、マイコン１６は図示しない後述するＤＶＤレコーダー／プレーヤー３０１間に確保されたチャンネル番号を認識できる。５３はコマンド書式メモリで、図１０または図１１を用いて後述する記録番組の映像情報と記録番組の音声情報と伝送チャンネルとの関連付けを示したコマンドの書式を記憶している。テレビジョン受信機１にはコマンド書式メモリ５３に、ＤＶＤレコーダー／プレーヤー３０１にはコマンド書式メモリ３５４にそれぞれ記憶されている。マイコン１６とマイコン３２０は、これらのメモリに記憶されている書式を読み出すことにより、記録番組の映像情報と記録番組の音声情報と伝送チャンネルとの関連付けを示した送信パケットの生成または受信パケットの解釈ができる。
【００２２】
なお構成において、アナログテレビジョン放送を受信する受信部と復調部とＭＰＥＧ−２エンコーダを新たに備え、アナログテレビジョン放送をＴＳに変換して後述するＤＶＤレコーダー／プレーヤー３０１に送信する場合も考えられる。また、映像スイッチ９と音声スイッチ１２の入力信号はデジタルの例を説明したがアナログであっても良い。その場合ＹＵＶインターフェース２０やＬＲインターフェース２１の後段にＤＡＣを配置することが考えられる。また受信番組を放送波から受信する場合を示したが、アンテナ３８の代わりにインターネットなどのネットワークに接続されるブロードバンドルーターを設置し、受信部Ｄ５はネットワーク上のアドレスによりネットワーク上から選択して受信する場合も考えられる。
【００２３】
また、ＹＵＶスケーリング部４８はインターフェース装置１８に内蔵される場合、または映像スイッチ９やＲＧＢプロセッサ１０に内蔵する場合、ＲＧＢプロセッサ１０の前段に配置しインターフェース装置１８から入力するＹＵＶ信号に対してのみスケーリングさせることも考えられる。また、音声合成部４９は音声スイッチ１２やＡＶデコーダー８やインターフェース装置１８に内蔵し、インターフェース装置１８から入力するＬＲ信号に対してのみ合成させることも考えられる。また、ＢＭＬは一例でありＨＴＭＬやＸＭＬ等の他の文書様式であっても良い。
【００２４】
また、ＴＳインターフェースとＹＵＶインターフェースとＬＲインターフェースは同一のインターフェース装置１８に備える例を示したが、それらのインターフェースや関わる送受信部は別々のＬＩＮＫや物理層を持つインターフェースに分割される場合もあり得る。例えばＴＳインターフェース１９、挿入部２５、ＴＳ送受信部２６、マイコンインターフェース２２、非同期送受信部３０、番組関連情報メモリ２３、ノード識別情報メモリ３２、チャンネル識別情報メモリ３６がＩＥＥＥ１３９４インターフェースやＵＳＢインターフェースやＩＥＥＥ８０２．３インターフェースに備えられ、ＹＵＶインターフェース２０、ＬＲインターフェース２１、ＹＵＶ受信部２７、ＬＲ受信部２８がＨＤＭＩインターフェースに備えられる場合やアナログ映像／音声インターフェースに備えられる場合も考えられる。アナログインターフェースの場合はＬＩＮＫ２９やアシンクロナスプロトコルは必要としない。
【００２５】
次にテレビジョン受信機１に接続されるＤＶＤレコーダー／プレーヤーの構成について説明する。図１３において、３０１はＤＶＤレコーダー／プレーヤーなどの記録装置である。３３７はデジタルテレビジョン放送を受信するアンテナである。３３５は受信部Ｄでチューナユニットから構成される。アンテナ３３７が受信したデジタルテレビジョン放送を選局し、映像信号と音声信号が多重されているＴＳが変調されている信号を出力する。３３６は復調部Ｄで、受信部Ｄ３３５の出力する信号を放送規格に則った復調方式で復調を行った後ＴＳを出力する。３２２は記録ストリーム選択部で、アンテナ３３７が受信するデジタルテレビジョン放送の番組あるいは後述するインターフェース装置３１７の受信する番組のＴＳを、後述するマイコン３２０の制御で切り替えて出力する。３２７はＴＳデコーダーＡで、アンテナ３３７が受信するデジタルテレビジョン放送の番組を後述するＤＶＤディスク３２４に記録する際には、復調部Ｄ３３６から記録ストリーム選択部３２２を介してＴＳを入力し、後述するマイコン３２０の制御によりパケットフィルタリングやデータの抽出を行う。その場合、記録する番組に関わる映像と音声とデータ放送のＢＭＬデータが格納されたＴＳパケットそして番組表のデータを出力する。また、後述するマイコン３２０の制御により番組表のデータから記録番組に関連する番組関連情報を入力し、番組関連情報を格納したＴＳパケットを生成して挿入したＴＳを出力する。
【００２６】
一方、図示していないテレビジョン受信機１が、記録番組の映像と音声およびデータ放送または番組関連情報もＴＳに格納してＤＶＤレコーダー／プレーヤー３０１に送信する際には、ＴＳデコーダーＡ３２７は、ＴＳを後述するインターフェース装置３１７から記録ストリーム選択部３２２を介して入力し、パケットフィルタリングやパケットに格納されているデータの抽出を行い、映像や音声のエレメンタリストリームやデータ放送のＢＭＬデータや番組関連情報を出力する。
【００２７】
また、ＴＳデコーダーＡ３２７は、ＴＳデコーダーＡ３２７が入力するＴＳが有料放送番組などにおいてスクランブルされている場合は、スクランブル処理されたＴＳからデスクランブル用の鍵を生成するための鍵情報を抽出し、ＩＣカード部３４９に出力する。ＩＣカード部３４９は入力した鍵情報を基にデスクランブルする為の鍵を挿入されているＩＣカードから取得し、デスクランブル部３５０に出力する。ＩＣカードは挿抜可能となっておりＩＣカードの挿抜の状態を後述するマイコン３２０に出力する事もできる。デスクランブル部３５０はＩＣカードからの鍵を入力し、ＴＳデコーダーＡ３２７から入力するスクランブルされているＴＳを入力し、鍵を用いてデスクランブルした後にＴＳデコーダーＡ３２７に戻す処理を行う。３２３は記録信号処理部で、記録する際のスクランブル回路および変調回路やレーザー等を含んでおり、ＴＳデコーダーＡ３２７から記録用のＴＳを入力し、後述するマイコン３２０の制御でＤＶＤディスク３２４に記録する。３２５はサーボコントローラで、サーボ制御とディスク３２４の回転制御やトラッキング等を後述するマイコン３２０の制御で行う。ＤＶＤディスクは青色レーザー対応のＤＶＤディスクなどが考えられる。３５２はＮＶＲＡＭであり、放送事業者別の固有情報が記憶されている。ユーザーがＤＶＤレコーダー／プレーヤー３０１を用いてデータ放送を受信した際のゲームやクイズ番組などで得たポイントや権利が記憶されている。３１８はリモコンで、ＤＶＤレコーダー／プレーヤー３０１のユーザーインターフェースである。３４２は録画キーで、受信部Ｄ３３５が受信中の番組をＤＶＤディスク３２４に録画（記録）したいときに押すキーである。３４３は再生キーで、ユーザーがＤＶＤディスク３２４に記録済の番組を再生したいときに押すキーである。３５１は停止キーで、ユーザーが番組の記録や再生を停止したいときに押すキーである。図示していないが後述するインデックスやデータ放送を操作するための十字キーやｄキーなども備えている。３１９は受光部で、リモコン３１８からの赤外線信号を入力し電気信号に変換し後述するマイコン３２０に出力する。３２０はマイコンで、ＤＶＤレコーダー／プレーヤー３０１の各要素の制御、ＤＶＤディスク３２４のファイルシステム制御を行う。そして、マイコン３２０は、ＴＳデコーダーＡ３２７または後述するＴＳデコーダーＢ３４０の出力するデータ放送のＢＭＬデータや番組表のデータや番組関連情報を入力し、バッファーメモリ３２１に蓄積するともにそれらの内容を解釈し、バッファーメモリ３２１の別の領域を用いてデータ放送の画面を描画することや番組表や番組関連情報を描画することなどを行う。また、マイコン３２０は、ＮＶＲＡＭ３５２に放送事業者別の固有情報に含まれるユーザーがデータ放送のゲームやクイズ番組などで得たポイントや権利を更新する制御も行う。また、マイコン３２０は、ユーザーが次回受信時にはＮＶＲＡＭ３５２に記憶されている放送事業者別の固有情報を読み出してユーザーが使用できるように制御する。これらの制御は、図示していないメモリ上に記憶しているプログラムに応じて実行する。３２９は番組インデックスメモリで、ＤＶＤディスク３２４に記録する番組とＤＶＤディスク上の記録位置および記録ストリームの解像度情報や音声フォーマットの情報をマイコン３２０の制御で関連付けて記憶するメモリである。例えば番組の開始位置のトラックやセクタ番号を記憶するなどが考えられる。解像度情報や音声フォーマット情報は記録時にＴＳ内の番組関連情報で記述されているビットレートの情報や音声のチャンネル数やサンプリング周波数情報などを参照して、マイコン３２０は認識できる。３４５は再生信号処理部で、ＤＶＤディスク３２４から記録されている番組を読み出すする際のピックアップや復調回路やデスクランブル回路等を含み、ＤＶＤディスク３２４から記録されている信号を入力しマイコン３２０の制御によりＴＳに変換して出力する。３４０はＴＳデコーダーＢで、再生信号処理部３４５から入力するＴＳを入力し、マイコン３２０の制御によりパケットフィルタリングやパケットに格納されているデータの抽出を行い、後述するＭＰＥＧ−２デコーダー３４６またはサブピクチャデコーダー３３０に映像や音声のエレメンタリストリームまたはサブピクチャのデータを出力する。また一方、ＴＳデコーダーＢ３４０は、データ放送のＢＭＬデータや番組関連情報を格納したＴＳパケットを後述するインターフェース装置３１７に出力するとともに格納されているデータ放送のＢＭＬデータや番組関連情報をマイコン５２０に出力する。３２８は番組関連情報メモリで、ＴＳデコーダーＢ３４０が抽出した再生する番組に関連する番組関連情報をマイコン３２０の制御で記憶するメモリである。３４６はＭＰＥＧ−２デコーダーで、ＴＳデコーダーＢ３４０の出力する映像や音声のエレメンタリストリームを入力し、ＭＰＥＧ−２デコード処理を行い映像信号と音声信号を出力する。データ放送表示時には映像をデータ放送の定義ファイルで指定される縮小率あるいは拡大率でスケーリング処理および効果音の生成と音声との合成処理もする。この出力映像信号はデジタルのＹＵＶ信号であり音声信号はデジタルのＬＲ信号が考えられる。３３０はサブピクチャデコーダーで、マイコン３２０の制御でサブピクチャのデータをＹＵＶ信号に変換して出力する。３５３はＯＳＤコントローラで、マイコン３２０の制御でバッファーメモリ３２１に描画した番組関連情報や番組表やデータ放送の画面やＧＵＩ画面のデータをＹＵＶ信号に変換するとともに、内部に備える同期生成回路の出力する同期信号に合わせて出力する。この同期信号はＭＰＥＧ−２デコーダーおよびサブピクチャデコーダーにも出力され、それらの出力ＹＵＶ信号はこの同期信号により同期がかけられる。これのＹＵＶ信号はＩＴＵ−Ｒ  ＢＴ．６５６−４で示されているような信号が考えられる。３４７は映像合成部で、ＭＰＥＧ−２デコーダー３４６およびサブピクチャデコーダー３３０およびＯＳＤコントローラ３５３の出力するＹＵＶ信号を入力し、ＯＳＤコントローラ３５３を介したマイコン３２０の制御で合成してＹＵＶ信号を出力する。３１７はインターフェース装置で、テレビジョン受信機１のインターフェース１８に備える物理層に対応するＩＥＥＥ１３９４またはＩＥＥＥ８０２．３またはＵＳＢ規格またはＨＤＭＩやＤＶＩ、ＩＥＥＥ８０２．１���またはＵＷＢなどに則った物理層を備えている。インターフェース装置３１７は、ＤＶＤレコーダー／プレーヤー３０１が記録済み番組を再生して表示する場合にバスに接続されている図示していないテレビジョン受信機１に出力する為やテレビジョン受信機１が受信する放送番組を記録する際入力する為のインターフェースである。
３０９はＴＳインターフェースで、インターフェース装置３１７の入力信号および出力信号インターフェースの一つである。ＴＳデコーダーＢ３４０が出力するＢＭＬデータや番組関連情報を格納したＴＳパケットを入力する場合と、記録ストリーム選択部３２２にＴＳパケットを出力する場合があり。ＴＳパケットは例えば映像や音声のエレメンタリストリームやデータ放送のＢＭＬデータや番組関連情報を格納したパケットが考えられる。３１０はＹＵＶインターフェースで、インターフェース装置１８の入力信号インターフェースの一つでありＩＴＵ−Ｒ  ＢＴ．６５６−４で示されているような非圧縮フォーマットのＹＵＶ映像の信号を入力する。３１１はＬＲインターフェースで、インターフェース装置１８の入力信号インターフェースの一つでありＩ２Ｓのような非圧縮フォーマットのＬＲ音声の信号を入力する。この例では２チャンネルとしたがチャンネル数を増やして５．１チャンネル対応する場合も考えられる。３１２はマイコンインターフェースで、インターフェース装置３１７の各要素を制御するためマイコン３２０に接続されるとともにＢＭＬデータや番組関連情報などを後述する非同期パケットで送信するデータをマイコン３２０の制御で入力する。ここで言う番組関連情報とは再生する番組に関連する情報であり、例えばタイトルや概要や出演者などの情報が考えられる。これらの情報は再生する番組のＴＳからＴＳデコーダーＢ３４０を用いて番組の番組関連情報をマイコン３２０が抽出する事で生成できる。３０５は同期送受信部で、受信するサイクルスタートパケットのタイミングに同期した同期パケットの送受信を行う。帯域を保証する為のチャンネルや連続性を確保する為のデータを含む同期パケット用のヘッダーを、送信データに付加するまたは受信データから同期パケット用のヘッダーを削除するプロトコルを備えている。このプロトコルは、一般的にはアイソクロナスプロトコルと呼ばれる。
３０６はＴＳ送受信部で、送信時はＴＳインターフェース３０９の出力するＴＳパケットに同期パケット用のヘッダーを付加して同期パケット化して後述するＬＩＮＫ３０３に出力する。または受信時は後述するＬＩＮＫ３０３から入力する同期パケット用のヘッダーを削除してＴＳインターフェース３０９に出力する。３０７はＹＵＶ送信部で、非圧縮の映像信号をＹＵＶインターフェース３１０から入力し、適切に分割して同期パケット用のヘッダーを付加し後述するＬＩＮＫ３０３に出力する。映像信号の分割は送信帯域に応じて決定されるライン数毎に行われる事が考えられる。３１１はＬＲ送信部で、非圧縮の音声信号をＬＲインターフェース３１１から入力し、適切に分割して同期パケット用のヘッダーを付加し後述するＬＩＮＫ３０３に出力する。音声信号の分割は送信帯域に応じて決定されるサンプル数毎に行われる事が考えられる。同期パケット用のヘッダーの例は図１２の同期パケットの構成例で既に示した。３０４は非同期送受信部で、送信時はマイコン３２０の制御によりマイコンインターフェース３１２から入力するデータを格納した非同期パケットを生成し前記サイクルスタートパケットと同期せずに後述するＬＩＮＫ３０３に出力する、また、受信時には後述するＬＩＮＫ３０３から非同期パケットを入力しマイコンインターフェース３１２に出力する。非同期送受信部３０４は、送信時は送信先ノードや自ノードのアドレスなどを含む非同期パケット用のヘッダーをマイコン３２０の制御により送信データに付加して送信し、受信時は非同期パケット用のヘッダーを削除して出力するプロトコルを備えている。非同期パケット用のヘッダーなどは後述する。一般的にはアシンクロナスプロトコルと呼ばれる。３０３はＬＩＮＫで、送信時は同期送受信部３０５および非同期送受信部３０４からの送信パケットを入力し、後述するＰＨＹ３０２に適するデータに変換し出力する。または受信時はＰＨＹ３０２からの入力データを同期送受信部３０５および非同期送受信部３０４に適するデータに変換して出力する。３０２はＰＨＹで、ＩＥＥＥ１３９４またはＩＥＥＥ８０２．３またはＵＳＢ規格またはＨＤＭＩ規格、ＩＥＥＥ８０２．１１またはＵＷＢなどに則った物理層であり外部の図示していないテレビジョン受信機１が接続されているバスに接続される。３１４はノード識別情報メモリで、バス上に接続されている装置の中でＤＶＤレコーダー／プレーヤー３０１を識別する為のノード番号およびバス上に接続されている図示しないテレビジョン受信機１のノード番号が記憶されている。バスに接続されている装置のノード番号は、バスのコンフィギュレーション時に非同期送受信部３０４などから受信可能であり、マイコン３２０はＤＶＤレコーダー／プレーヤー３０１自身のノード番号やテレビジョン受信機１などのノード番号を読み取り認識できる。なおバスに接続されているテレビジョン受信機１およびＤＶＤレコーダー／プレーヤー３０１とノード番号の関連付けは装置の属性を示す情報が各ノードからマイコン３２０の制御で受信部を介して取得可能であるため可能である。３１５はチャンネル識別情報メモリで、ＤＶＤレコーダー／プレーヤー３０１と図示しないテレビジョン受信機１間に確保される伝送チャンネルを識別する情報が記憶されている。例えばインターフェース装置３１７のＴＳ送受信部を用いて同期パケットで映像や音声のデータやＢＭＬデータ／番組関連情報を伝送する場合、アイソクロナスプロトコルではそれぞれの同期パケットの送信時にノード間で論理的なチャンネルを確保する為にチャンネル番号が割り振られるため、マイコン３２０は図示しないテレビジョン受信機１間に確保されたチャンネル番号を認識できる。３５４はコマンド書式メモリで、図１０または図１１を用いて後述する記録番組の映像情報と記録番組の音声情報と伝送チャンネルとの関連付けを示したコマンドの書式を記憶している。
【００２８】
なお、構成において、アナログテレビジョン放送を受信する受信部と復調部とＭＰＥＧ−２エンコーダを新たに備えアナログテレビジョン放送をＴＳに変換してＤＶＤディスク３２４に記録する場合も考えられる。また、受信番組を放送波から受信する場合を示したが、アンテナ３３７の代わりにインターネットなどのネットワークに接続されるブロードバンドルーターを設置し、受信部Ｄ３３５はネットワーク上アドレスによりネットワーク上から選択して受信する場合も考えられる。
【００２９】
また、ＴＳデコーダーＡ３２７とＴＳデコーダーＢ３４０は同一のＴＳデコーダー内に統合される場合もある。
【００３０】
また、ＢＭＬはＨＴＭＬやＸＭＬ等の他の文書様式であっても良い。ＤＶＤディスク３２４は赤色レーザー対応ＤＶＤやＨＤＤなどのその他の記録デバイスでも良い。その場合はＴＳデコーダーＢ３４０、サブピクチャデコーダー３３０、ＭＰＥＧ−２デコーダー３４６はプログラムストリーム対応も可能とし、ＴＳデコーダーＡ３２７はＴＳをプログラムストリームに変換可能とする。
【００３１】
また、ＴＳインターフェースとＹＵＶインターフェースとＬＲインターフェースは同一のインターフェース装置３１７に備える例を示したが、それらのインターフェースや関わる送受信部はテレビジョン受信機１に対応させて別々のＬＩＮＫや物理層を持つインターフェースに分割する場合もあり得る。例えばＴＳインターフェース３０９、ＴＳ送受信部３０６、マイコンインターフェース３１２、非同期送受信部３０４、ノード識別情報メモリ３１４、チャンネル識別情報メモリ３１５がＩＥＥＥ１３９４インターフェースやＵＳＢインターフェースやＩＥＥＥ８０２．３インターフェースに備えられ、ＹＵＶインターフェース３１０、ＬＲインターフェース３１１、ＹＵＶ受信部３０７、ＬＲ受信部３０８がＨＤＭＩインターフェースやアナログ映像／音声インターフェースに備えられる場合も考えられる。アナログインターフェースの場合はＬＩＮＫ２９やアシンクロナスプロトコルは必要としないが、ＹＵＶインターフェース３１０およびＬＲインターフェース３１１の前段にＤＡＣが配置される。
【００３２】
次に実施の形態１の動作について図面を参照しながら説明する。本発明のテレビジョン受信機１とＤＶＤレコーダー／プレーヤー３間の映像と音声とＢＭＬデータ／番組関連情報の伝送は、単一のインターフェースにより非圧縮フォーマットの映像および音声と圧縮フォーマットのＢＭＬデータ／番組関連情報とに伝送チャンネルを分けて伝送する形態と、非圧縮フォーマットの映像および音声用のインターフェースと圧縮フォーマットのＢＭＬデータ／番組関連情報用のインターフェースとの２つのインターフェースに分けて伝送する形態が可能である。また、ＢＭＬデータ／番組関連情報の伝送フォーマットは、伝送するインターフェースあるいはチャネルに応じて圧縮フォーマットあるいは非圧縮のフォーマットあるいは非同期パケットフォーマットが選択可能である。それらの伝送形態ならびに伝送フォーマットは、ユーザーが予めテレビジョン受信機１とＤＶＤレコーダー／プレーヤー３間の接続形態、伝送フォーマットを初期設定しておくことにより、双方のマイコンは認識可能である。双方のマイコンは、接続形態に最適な制御を実行する。以降の説明は、それぞれの接続形態における動作、マイコンの制御方法について示す。
【００３３】
図２と図１４と図１６を用いてＤＶＤレコーダー／プレーヤー３０１が再生する番組をテレビジョン受信機１が表示する第一の例を説明する。図２はＤＶＤレコーダー／プレーヤー３０１が送信する記録番組の映像と音声をテレビジョン受信機１が表示する際、図１４および図１６はＤＶＤレコーダー／プレーヤー３０１が記録番組を再生し映像と音声を出力する際の動作例である。この例では、テレビジョン受信機１とＤＶＤレコーダー／プレーヤー３０１間のインターフェースを単一化して接続する構成であり、ＢＭＬデータ／番組関連情報の伝送フォーマットはＴＳの場合の動作を説明する。図２において、まずユーザーがテレビジョン受信機１のリモコン３４の再生キー４２を用いてＤＶＤレコーダー／プレーヤー３０１の再生を指示する操作を行った場合（ＳＴＥＰ１）、マイコン１６は、光部３９からの信号を解釈し再生コマンドを生成して、インターフェース装置１８の非同期送受信部３０を用いて再生コマンドを格納した非同期パケットをＤＶＤレコーダー／プレーヤー３０１に送信する（ＳＴＥＰ２）。次にマイコン１６は、ＤＶＤレコーダー／プレーヤー３０１から返信される再生される番組に関わる映像と音声とＢＭＬデータ／番組関連情報と伝送チャンネルとの関連付けを示したデータを格納したパケットの受信を待つ（ＳＴＥＰ３）。図１４において、ＤＶＤレコーダー／プレーヤー３０１は、ＳＴＥＰ２で送信されたコマンドを非同期送受信部３０４を用いて受信し、マイコン３２０は再生コマンドを解釈する。（ＳＴＥＰ２０１）マイコン３２０は、番組インデックスメモリ３２９に記憶されているデータを検索し、再生する番組の開始位置を確認し再生の準備を行う。この場合再生する番組は、直前に記録された番組でもＳＴＥＰ２０１で受信したコマンド内で指示されている番組でも良い（ＳＴＥＰ２０２）。マイコン３２０は、番組インデックスメモリ３２９に記憶されている再生する番組に関わる映像の解像度情報や音声フォーマット情報を読み出し、映像や音声をデコードした後の非圧縮信号の帯域をそれぞれ推定し、デコード後の非圧縮信号の映像や音声をテレビジョン受信機１に送信する為に必要な帯域をそれぞれ確保する送信チャンネルをそれぞれ獲得する（ＳＴＥＰ２０３）。また、マイコン３２０は、番組関連情報やＢＭＬデータを格納したＴＳパケットに必要な伝送帯域も解像度情報から推定し、番組関連情報やＢＭＬデータを格納したＴＳストリームをテレビジョン受信機１に送信する為に必要な帯域を確保する送信チャンネルを獲得する。帯域やチャンネルの確保は、図示しないチャンネルや帯域を管理しているマスターノードから獲得する事がアイソクロナスプロトコルでは考えられる（ＳＴＥＰ２０４）。マイコン３２０の制御でサーボコントローラ３２５や再生信号処理部３４５は、ＤＶＤディスク３２４に記録済みの番組を開始位置から読み出して出力する。マイコン３２０の制御でＴＳデコーダーＢ３４０は、映像と音声のＭＰＥＧ−２エレメンタリストリームおよびサブピクチャデータを抽出しＭＰＥＧ−２デコーダー３４６およびサブピクチャデコーダー３３０に出力するとともに、ＢＭＬデータと番組関連情報のパケットと格納されているデータを抽出しパケットをインターフェース装置３１７に出力するとともに、ＢＭＬデータと番組関連情報をマイコン３２０に出力する（ＳＴＥＰ２０５）。
【００３４】
ここでＢＭＬデータと番組関連情報のパケットをインターフェース装置３１７に出力する際のＴＳデコーダーＢ３４０の動作について図２２を用いて説明する。図２２ではＴＳデコーダーＢ３４０が入力するＴＳから再生する番組である番組ＡのＢＭＬデータと番組関連情報のパケットを抽出する動作を示している。図２２の横方向は時間である。番組Ａ（映像）は番組Ａの映像のエレメンタリストリームが格納されたＴＳパケットであり、番組Ａ（音声）は番組Ａの音声のエレメンタリストリームが格納されたＴＳパケットである。番組Ａ（ＢＭＬ）は番組Ａに関わるデータ放送のＢＭＬデータが格納されたＴＳパケットであるＳＩＴは、記録番組の番組関連情報が格納されているＴＳパケットで、ＤＶＤレコーダー／プレーヤー３０１が受信した番組を記録する際にマイコン３２０の制御でＴＳデコーダーＡ３２７を用いて挿入される場合と、テレビジョン受信機１が受信した番組を記録する際にマイコン１６の制御で挿入部２５を用いて挿入される場合がある。番組Ｂは再生番組とは別番組のＴＳパケットである。ＴＳデコーダーＢ３４０はＰＩＤフィルタリングの機能を備えており、マイコン３２０の制御によりインターフェース装置３１７に出力するＴＳパケットのＰＩＤを設定しそのＴＳパケットのみをインターフェース装置３１７に出力する。この場合は番組Ａ（ＢＭＬ）のＰＩＤとＳＩＴのＰＩＤが設定されておりそれ以外のＰＩＤを持つその他のＴＳパケットはフィルタリングされる。図２２の説明は終了する。
【００３５】
図１４において、ＭＰＥＧ−２デコーダー３４６とサブピクチャデコーダー３３０は、それぞれ復号してＹＵＶ信号とＬＲ信号を生成する（ＳＴＥＰ２０６）。マイコン３２０は復号され合成されたＹＵＶ信号およびＬＲ信号を、インターフェース装置３１７のＹＵＶ送信部３０７およびＬＲ送信部３０８を用いて同期パケットに格納して、テレビジョン受信機１にそれぞれ獲得したチャンネルを介して送信するよう制御する（ＳＴＥＰ２０７）。一方、マイコン３２０は、図１６で示すようにマイコン３２０は並行して再生する番組の映像や音声そして後述するように番組関連情報やＢＭＬデータを送信するために獲得したそれぞれの伝送チャンネルを関連付けるデータを生成し、非同期送受信部３０４を用いて非同期パケットに格納してテレビジョン受信機１に送信する（ＳＴＥＰ２２１）。
【００３６】
ＳＴＥＰ２２１などで前述したしたそれぞれの伝送チャンネルを関連付けを伝送するための非同期パケットの例を図１０と図１１を用いて詳細を説明する。図１０はアシンクロナスプロトコルにおける非同期パケットの構成を示した図である。横方向は３２ビットのデータ行を示しており、縦方向はデータ行の連続を示している。上位３行はパケットにおけるヘッダー領域を示しており、それ以下はデータ領域を示している。送信先ＩＤとは送信先ノード番号が格納されているフィールドであり、パケットタイプ識別情報とはこのパケットが非同期パケットであることを示す情報が格納されているフィールドであり、送信元ＩＤとは送信元ノード番号が格納されているフィールドであり、予約領域とは将来の拡張に備え未使用のフィールドであり、ヘッダーＣＲＣとは上記フィールドのＣＲＣデータが格納されるフィールドである。以上が非同期パケット用のヘッダーである。
【００３７】
以降はデータ領域であるが、映像チャンネルとは映像が送信される論理チャンネルを示すフィールドであり、音声チャンネルとは音声が送信されるバス上の論理チャンネルを示すフィールドであり、ＢＭＬ／関連情報チャンネルとはＢＭＬや番組関連情報が送信されるバス上の論理チャンネルを示すフィールドであり、データ領域とはその他データが格納されるフィールドであり、データＣＲＣとは非同期パケット全体のＣＲＣデータが格納されるフィールドである。ここでＤＶＤレコーダー／プレーヤー３０１のマイコン３２０は、再生時に再生する番組に関連する映像と音声とＢＭＬデータと番組関連情報と伝送チャンネルとの関連付けを示す情報をこれらのフィールド格納してテレビジョン受信機１に送信する。格納するデータは、例えば全ての情報が同じインターフェースから同じ伝送フォーマットで受信する場合はそれぞれのチャンネル識別情報のみが格納される。または異なるインターフェースから受信する場合はそれぞれのインターフェースとフォーマットを識別する情報とインターフェースにおけるチャンネル識別情報が格納される場合が考えられる。また送信先ＩＤと送信元ＩＤの情報は、ＤＶＤレコーダー／プレーヤー３０１自身のノード番号とテレビジョン受信機１のノード番号との関連付けに使われる。
【００３８】
図１１の場合も図１０と同様な非同期パケットの構成を示すものであるが、図１１は、図１０と異なりＢＭＬデータや番組関連情報の伝送パケットが映像と音声の伝送チャンネルを伝送するパケットを兼ねる場合であり、データ領域に加えてＢＭＬデータや番組関連情報が格納されている。なお、図１０と図１１の非同期パケットの構成において、それぞれのチャンネルを示すフィールドはデータ領域の先頭である必要は無く例えば最後や中間であっても良く、またデータ領域中のリザーブ領域であっても良い。図１０と図１１の説明を終了する。
【００３９】
図１６において、マイコン３２０は、ＳＴＥＰ２０５で抽出したＢＭＬデータや番組関連情報のパケットをインターフェース装置３１７のＴＳ送受信部３０６を用いて同期パケットに格納し、テレビジョン受信機１にＳＴＥＰ２０４で獲得したチャンネルを介して送信するよう制御する（ＳＴＥＰ２２２）。
【００４０】
図２３を用いてバス上送信パケットの多重形態を説明する。図２３の横軸は時間であり上段図右と下段図左は時間的に繋がっている。バス上では、予め定義される所定の時間間隔の同期タイミングがサイクルスタートパケットにより与えられており、図２３ではその２サイクルを示した。Ａは非圧縮フォーマットのＹＵＶ信号を格納して同期パケット用のヘッダーを付加した同期パケットであり、送信用チャンネルが与えられており、毎サイクルの送信帯域が保証されている。Ｂは非圧縮フォーマットのＬＲ信号を格納して同期パケット用のヘッダーを付加した同期パケットであり、送信用チャンネルが与えられており、毎サイクルの送信帯域が保証されている。ＯＰはＢＭＬデータＯと番組関連情報Ｐにより構成されるＴＳを格納して同期パケット用のヘッダーを付加した同期パケットであり、送信用チャンネルが与えられており毎サイクルの送信帯域が保証されている。Ｃは再生する番組の映像や音声そして番組関連情報やＢＭＬデータを送信するために獲得したそれぞれのチャンネルの関連付けを示するデータを格納し、非同期パケット用ヘッダーを付加した非同期パケットである。非同期パケットであるＣは送信チャンネルは与えられておらず必ずしも毎サイクル送信されるものではない。これらのパケットは時間軸上に多重化されて同一のバスに送信される。例えば映像と音声は非圧縮フォーマットで同期パケットに格納し、ＭＰＥＧ−２  ＴＳパケットフォーマット化されたＢＭＬデータや番組関連情報は非同期パケットに格納し共に同一のＩＥＥＥ１３９４インターフェースやＩＥＥＥ８０２．３インターフェースやＵＳＢインターフェースやＩＥＥＥ８０２．１１インターフェースやＵＷＢインターフェースより送信する場合が考えられる。図２３の説明を終了する。
【００４１】
図２において、その後テレビジョン受信機１は、映像や音声そして番組関連情報やＢＭＬデータを送信するために獲得したそれぞれのチャンネルの関連付けを示すデータを格納した非同期パケットを受信し、マイコン１６は再生される番組に関わる映像と音声とＢＭＬデータと関連情報の関連付けと伝送チャンネルを認識する（ＳＴＥＰ４）。ＹＵＶ受信部２７やＬＲ受信部２８がＳＴＥＰ２０７で送信された映像や音声の同期パケットを受信すると（ＳＴＥＰ５）、マイコン１６は、その伝送チャンネルがＳＴＥＰ４で認識した映像と音声を伝送するチャンネルと確認し、再生した番組の映像や音声と認識して、映像スイッチ９と音声スイッチ１２をインターフェース装置１８側に切り替えて（ＳＴＥＰ６）、受信する映像や音声を表示するように制御する（ＳＴＥＰ７）。なお、マイコン１６の制御により映像と音声の関連付けを示す非同期パケットを要求するコマンドをＳＴＥＰ２でＤＶＤレコーダー／プレーヤー３０１に送信する場合も考えられる。
【００４２】
以上の説明から分かるようにこの例では、ＤＶＤレコーダー／プレーヤー３０１のマイコン３２０において、番組関連情報やＢＭＬデータは、デコードされず、圧縮フォーマットで送信されている。
【００４３】
次に図３と図１５と図１６を用いてＤＶＤレコーダー／プレーヤー３０１の再生する番組をテレビジョン受信機１が表示する第二の例を説明する。図３はＤＶＤレコーダー／プレーヤー３０１が出力する映像と音声をテレビジョン受信機１が表示する際、図１５および図１６はＤＶＤレコーダー／プレーヤー３０１が映像と音声を再生する際の例である。
この例では、テレビジョン受信機１とＤＶＤレコーダー／プレーヤー３０１間のインターフェースを２つに分けて接続する構成であり、ＢＭＬデータ／番組関連情報の伝送フォーマットはＴＳの場合の動作を説明する。例えば、テレビジョン受信機１とＤＶＤレコーダー／プレーヤー３０１におけるＴＳインターフェース１９、３０９、挿入部２５、ＴＳ送受信部２６、３０６、マイコンインターフェース２２、３１２、非同期送受信部３０、３０４、番組関連情報メモリ２３、ノード識別情報メモリ３２、３１４、チャンネル識別情報メモリ３６、３１５がＩＥＥＥ１３９４インターフェース装置あるいはＵＳＢインターフェース装置あるいはＩＥＥＥ８０２．３インターフェース装置に備えられ、ＹＵＶインターフェース２０、３１０、ＬＲインターフェース２１、３１１、ＹＵＶ受信部２７、３０７、ＬＲ受信部２８、３０８が別のＨＤＭＩインターフェース装置に備えられる場合やＹＵＶインターフェース２０、３１０、ＬＲインターフェース２１、３１１がアナログ映像／音声インターフェースに備えられる場合を説明する。図１５においてユーザーがＤＶＤレコーダー／プレーヤー３０１のリモコン３１８を用いて記録されている番組の再生操作をした場合、マイコン３２０は、再生操作を解釈する（ＳＴＥＰ２１１）。マイコン３２０は、番組インデックスメモリ３２９に記憶されているデータを検索し、番組の読み出し開始位置を確認し、再生の準備を行う（ＳＴＥＰ２１２）。マイコン３２０は、番組インデックスメモリ３２９に記憶されている解像度情報や音声フォーマット情報を読み出し、解像度情報を基に番組関連情報やＢＭＬデータを格納したＴＳパケットの必要な伝送帯域をそれぞれ推定し、番組関連情報やＢＭＬデータを格納したＴＳをテレビジョン受信機１に送信する為に帯域を確保する伝送チャンネルを獲得する。帯域やチャンネルの確保は、図示しないチャンネルや帯域を管理しているマスターノードから獲得する事が考えられる。ＴＳストリームの帯域の推定は、記録する時のビットレート情報を基にそれ以下に推定可能である（ＳＴＥＰ２１４）。マイコン３２０の制御によりサーボコントローラ３２５や再生信号処理部３４５は、再生番組の開始位置からＤＶＤディスク３２４に記録済みの番組を読み出して出力する。マイコン３２０の制御でＴＳデコーダーＢ３４０は、映像と音声のＭＰＥＧ−２エレメンタリストリームおよびサブピクチャデータを抽出し、ＭＰＥＧ−２デコーダー３４６およびサブピクチャデコーダー３３０に出力する。そして、ＴＳデコーダーＢ３４０は、ＢＭＬデータと番組関連情報を格納したＴＳパケットそして格納されているＢＭＬデータや番組関連情報を抽出し、ＴＳパケットをインターフェース装置３１７に出力する。そして、データをマイコン３２０に出力する（ＳＴＥＰ２１５）。ＭＰＥＧ−２デコーダー３４６とサブピクチャデコーダー３３０は、それぞれ復号し、ＹＵＶ信号とＬＲ信号を生成する（ＳＴＥＰ２１６）。マイコン３２０は、復号され合成されたＹＵＶ信号およびＬＲ信号をＨＤＭＩの物理層を備えたインターフェース装置３１７のＹＵＶ送信部３０７およびＬＲ送信部３０８、あるいはアナログの映像／音声インターフェースを用い、テレビジョン受信機１に出力するよう制御する（ＳＴＥＰ２１７）。
【００４４】
図３においてテレビジョン受信機１のマイコン１６は、非同期送受信部３０を用いてＤＶＤレコーダー／プレーヤー３０１が再生状態に移行したことを認識する（ＳＴＥＰ１１）。ＩＥＥＥ１３９４などでは非同期パケットを用いたノードの状態を読み出すコマンドや状態を通知するコマンドが規格化されており、そのコマンドを用いて認識可能である。次にマイコン１６は、再生する番組に関わる映像と音声とＢＭＬデータと番組関連情報と伝送チャンネルとの関連付けをＤＶＤレコーダー／プレーヤー３０１に対し問い合わせるコマンドを生成し、非同期送信部３０を用いてＤＶＤレコーダー／プレーヤー３０１に送信する（ＳＴＥＰ１２）。マイコンは非同期パケットでの返信を待つ（ＳＴＥＰ１３）。
【００４５】
図１６において、ＤＶＤレコーダー／プレーヤー３０１は、テレビジョン受信機１から送信される映像と音声とＢＭＬデータと番組関連情報の伝送チャンネルを問い合わせるコマンドを格納した非同期パケットを非同期受信部３０４が受信する。その後、マイコン３２０はそのコマンドを解釈し、マイコン３２０は再生する番組の映像や音声そして番組関連情報やＢＭＬデータを送信するために獲得したそれぞれの伝送チャンネルを関連付けるデータを生成し、非同期送受信部３０４を用いてテレビジョン受信機１に送信する（ＳＴＥＰ２２１）。この例では映像や音声についてはＨＤＭＩインターフェースあるいはアナログ映像/音声インターフェースを識別する情報が格納される。この情報は予め決めておくことでテレビジョン受信機１は認識可能である。またマイコン３２０は、ＳＴＥＰ２１６で抽出したＢＭＬデータや番組関連情報のパケットをインターフェース装置３１７のＴＳ送受信部３０６を用いて同期パケットに格納し、テレビジョン受信機１にそれぞれ獲得した伝送チャンネルからＩＥＥＥ１３９４インターフェースを介して送信するよう制御する（ＳＴＥＰ２２２）。
【００４６】
図３においてテレビジョン受信機１はＳＴＥＰ２２１で送信された非同期パケットを受信後、番組に関わる映像と音声とＢＭＬデータと番組関連情報の伝送チャンネルを認識する（ＳＴＥＰ１４）。ＳＴＥＰ１４での認識に則りテレビジョン受信機１は、映像と音声をＨＤＭＩインターフェースあるいはアナログインターフェースから非圧縮フォーマットで入力する。ＢＭＬデータと番組関連情報はＩＥＥＥ１３９４インターフェースよりＭＰＥＧ−２  ＴＳパケットで受信するように、マイコン１６は、映像スイッチ９と音声スイッチ１２をＨＤＭＩの物理層を備えるインターフェース装置１８側あるいはアナログインターフェース側に切り替えるとともに、ＩＥＥＥ１３９４の物理層を備えるもう一つのインターフェース装置１８からのＢＭＬデータや番組関連情報の受信の準備を行う（ＳＴＥＰ１６）。また、ＨＤＭＩインターフェース装置１８から受信する映像と音声を表示するように制御する（ＳＴＥＰ１７）。
【００４７】
以上の説明から分かるようにこの例では、ＤＶＤレコーダー／プレーヤー３０１のマイコン３２０において、番組関連情報やＢＭＬデータは、デコードされず、圧縮フォーマットで送信されている。
【００４８】
次にＤＶＤレコーダー／プレーヤー３０１が再生する番組のデータ放送画面や番組関連情報をテレビジョン受信機１が表示する第一の例を図４を用いて説明する。テレビジョン受信機１とＤＶＤレコーダー／プレーヤー３０１間のインターフェースを単一化する構成であり、ＢＭＬデータ／番組関連情報の伝送フォーマットはＴＳの場合の例である。ＳＴＥＰ２２２で送信されるＢＭＬデータと番組関連情報をＴＳ送受信部２６で受信した場合の動作を説明する（ＳＴＥＰ２１）。この場合の伝送チャンネルは図１０と図１１を用いて前述したＳＴＥＰ３やＳＴＥＰ１３で受信する非同期パケットにより認識可能である。ＳＴＥＰ６あるいはＳＴＥＰ１６の後に、ユーザーがテレビジョン受信機１のリモコン３４のｄキー４７を押してデータ放送表示の指示を行った場合（ＳＴＥＰ２２）、マイコン１６は、その指示を解釈してＳＴＥＰ２１においてインターフェース装置１８のＴＳインターフェース１９より受信するＢＭＬデータを、ＴＳデコーダー７を用いて入力し、ＢＭＬ定義ファイルを解釈すると共にその定義に応じたデコードを施し、バッファーメモリ１７にデータ放送の先頭画面を描画する制御を行う。
【００４９】
次にマイコン１６は、ＯＳＤコントローラ４６を用いて描画したデータ放送の先頭画面のデータを画素データに変換して表示する制御を行う。また、定義ファイルに映像のスケーリング指示が示されていた場合は、マイコン１６は、ＳＴＥＰ５やＳＴＥＰ１５において非圧縮フォーマットで受信する映像のデータを、ＹＵＶスケーリング部４８を用いて定義ファイルの指示に応じたスケーリング処理を行い、ＳＴＥＰ７やＳＹＥＰ１７でデータ放送の先頭画面と合成して表示するように制御する。
【００５０】
また定義ファイルに効果音の出力指示が示されていた場合は、マイコン１６は、ＳＴＥＰ５やＳＴＥＰ１５において非圧縮フォーマットで受信する音声のデータにＡＶデコーダー８を用いて生成した効果音を、ＳＴＥＰ７やＳＴＥＰ１７において音声合成部４９を用いて合成して出力するように制御する（ＳＴＥＰ２３）。その後ユーザーはリモコン３４を用いてデータ放送の画面を操作しページ送り等を行うことができるが、リモコン３４のｄキー４７を押してデータ放送画面の表示を止める指示を行った場合（ＳＴＥＰ２４）、マイコン１６は、データ放送画面のデコードおよび表示そして映像のスケーリングそして効果音の生成および合成を終了制御する（ＳＴＥＰ２８）。一方ＳＴＥＰ６あるいはＳＴＥＰ１６の後に、ユーザーがリモコン３４の番組情報表示キー４３を押して番組関連情報表示の指示を行った場合（ＳＴＥＰ２５）、マイコン１６はその指示を解釈して、ＳＴＥＰ２１においてインターフェース装置１８のＴＳインターフェース１９より受信する番組関連情報をＴＳデコーダー７を用いて入力し、情報の内容を解釈すると共にバッファーメモリ１７に所定の様式で番組関連情報を描画する制御を行う。次にマイコン１６は、ＯＳＤコントローラを用いて描画データを画素データに変換して表示する制御を行う（ＳＴＥＰ２６）。その後ユーザーはリモコン３４を用いて番組関連情報の表示画面をスクロール等を行うことができるが、リモコン３４の戻るキー４４を押して番組関連情報の表示を止める指示を行った場合（ＳＴＥＰ２７）、マイコン１６は、番組関連情報の表示を終了制御する（ＳＴＥＰ２９）。
【００５１】
以上の説明から分かるようにこの例では、テレビジョン受信機１のマイコン１６において、番組関連情報やＢＭＬデータは、デコードされている。
【００５２】
次に再生する番組の番組関連情報を表示する第二の例を図５と図１７を用いて説明する。テレビジョン受信機１とＤＶＤレコーダー／プレーヤー３０１間のインターフェースを単一化する構成であり、番組関連情報の伝送フォーマットは非同期パケットの場合の例である。
【００５３】
図５はＤＶＤレコーダー／プレーヤー３０１が送信する番組関連情報をテレビジョン受信機１が表示する際、図１７はＤＶＤレコーダー／プレーヤー３０１が番組関連情報を送信する際の例である。またテレビジョン受信機１が非圧縮フォーマットで受信する映像と音声のデータと別の伝送チャンネルから番組関連情報を非同期送受信部３０で受信する例である。ＳＴＥＰ６あるいはＳＴＥＰ１６の後に図５において、ユーザーがＤＶＤレコーダー／プレーヤー３０１から受信する非圧縮フォーマットの映像／音声に関連した番組関連情報の表示をテレビジョン受信機１のリモコン３４の番組情報表示キー４３を押して指示すると（ＳＴＥＰ３１）、マイコン１６はその指示を解釈し、現在非圧縮フォーマットで受信している映像／音声に関連する番組関連情報を送信要求するコマンドを生成し、非同期送受信部３０を用いて非同期パケット化してＤＶＤレコーダー／プレーヤー３０１に送信する。図１０や図１１で示したような映像や音声のチャンネルを指定する情報と共に非同期パケットに格納して送信することにより、所望する番組関連情報と再生番組の関連付けもＤＶＤレコーダー／プレーヤー３０１に通知することができる（ＳＴＥＰ３２）。その後返信を待つ（ＳＴＥＰ３３）。
【００５４】
図１７において、ＤＶＤレコーダー／プレーヤー３０１はＳＴＥＰ３２で送信された非同期パケットを非同期送受信部３０４を用いて受信し、マイコン３２０は、映像／音声に関連する番組関連情報を送信要求するコマンドであること、そして前記所望する番組関連情報と再生番組の関連付けを解釈する（ＳＴＥＰ２３１）。マイコン３２０は再生中の番組の番組関連情報を番組関連情報メモリ３２８より読み出し、映像と音声と伝送チャンネルとを関連付ける情報と番組関連情報を非同期送受信部３０４を用いて、図１０や図１１で示したような非同期パケットに格納して、テレビジョン受信機１に返信するように制御する（ＳＴＥＰ２３２）。
【００５５】
図５においてＤＶＤレコーダー／プレーヤー３０１からＳＴＥＰ２３２で返信される非同期パケットを受信すると（ＳＴＥＰ３３）、マイコン１６は、受信している映像／音声との関連付けを確認するが、先にＳＴＥＰ４あるいはＳＴＥＰ１４で認識した番組関連情報の関連付けを更新する。確認後マイコン１６はＳＴＥＰ３３で受信した非同期パケットに格納されている番組関連情報を非同期送受信部３０を用いて読み出して内容を認識し、ＯＳＤコントローラ４６を用いて表示する制御を行う（ＳＴＥＰ３４）。その後ユーザーはリモコン３４を用いて番組関連情報の表示画面をスクロール等を行うことができるが、リモコン３４の戻るキー４４を押して番組関連情報の表示を止める指示を行った場合（ＳＴＥＰ３５）、マイコン１６は、番組関連情報の表示を終了制御する（ＳＴＥＰ３６）。
【００５６】
以上の説明から分かるようにこの例では、テレビジョン受信機１のマイコン１６において、番組関連情報は、デコードされている。また、ＤＶＤレコーダー／プレーヤー３０１のマイコン３２０において、番組関連情報は、デコードされていない。
【００５７】
次に再生する番組の番組関連情報を表示する第三の例を図６と図１８を用いて説明する。テレビジョン受信機１とＤＶＤレコーダー／プレーヤー３０１間のインターフェースを単一化する構成であり、ＢＭＬデータ／番組関連情報の伝送フォーマットは非圧縮フォーマットの場合の例である。図６はＤＶＤレコーダー／プレーヤー３０１が送信する番組関連情報をテレビジョン受信機１が表示する際、図１８はＤＶＤレコーダー／プレーヤー３０１が番組関連情報を送信する際の例である。また番組関連情報は非圧縮フォーマットで受信する映像と音声のデータと同一の伝送チャンネルからＹＵＶ受信部２７で受信する例である。例えば映像と音声をＨＤＭＩインターフェースあるいはアナログ映像／音声インターフェースを介して受信する場合も考えられる。
【００５８】
図６においてユーザーがテレビジョン受信機１のリモコン３４を用いて非圧縮フォーマットで受信する映像／音声に関連する番組関連情報の表示をリモコン３４の番組情報表示キー４３を押して指示すると（ＳＴＥＰ４１）、マイコン１６はその指示を解釈し、ＳＴＥＰ５あるいはＳＴＥＰ１５において、非圧縮フォーマットで受信している映像／音声に関連する番組関連情報を表示要求するコマンドを生成し、非同期送受信部３０を用いて非同期パケット化してＤＶＤレコーダー／プレーヤー３０１に送信する。図１０や図１１で示したような映像や音声のチャンネルを指定する非同期パケットを送信することで、所望する番組関連情報と再生番組の関連付けもＤＶＤレコーダー／プレーヤー３０１に通知できる（ＳＴＥＰ４２）。
【００５９】
図１８においてＤＶＤレコーダー／プレーヤー３０１は番組関連情報を表示要求するコマンドと関連付けのデータを非同期送受信部３０４を用いて受信し、マイコン３２０は、映像／音声に関連する番組関連情報を送信要求するコマンドであること、そして前記所望する番組関連情報と再生番組の関連付けを解釈する（ＳＴＥＰ２４１）。マイコン３２０は再生中の番組の番組関連情報を番組関連情報メモリ３２８より読み出し、ＯＳＤコントローラ３５３と映像合成部３４７を用いて映像に合成して送信するように制御する（ＳＴＥＰ２４２）。その後ユーザーは番組関連情報を見ながらリモコン３４を用いて番組関連情報の表示画面のスクロール等を、ＳＴＥＰ４２と同様にマイコン１６の制御で操作コマンドを格納した非同期パケットをＤＶＤレコーダー／プレーヤー３０１に送信することで行うことができるが、リモコン３４の戻るキー４４を押して番組関連情報の表示を止める指示を行った場合（ＳＴＥＰ４４）、マイコン１６は、ＳＴＥＰ４２と同様に番組関連情報の表示を終了するコマンドを格納した非同期パケットを、ＤＶＤレコーダー／プレーヤー３０１に送信する（ＳＴＥＰ３６）。ＤＶＤレコーダー／プレーヤー３０１は番組関連情報を表示終了要求するコマンドと関連付けのデータを受信し、マイコン３２０は、再生中である番組の番組関連情報の表示終了要求を認識し（ＳＴＥＰ２４３）、ＳＴＥＰ２４２での番組関連情報の画面の送信を終了制御する（ＳＴＥＰ２４４）。
【００６０】
以上の説明から分かるようにこの例では、テレビジョン受信機１のマイコン１６において、番組関連情報は、デコードされていない。また、ＤＶＤレコーダー／プレーヤー３０１のマイコ３２０において、番組関連情報は、デコードされている。
【００６１】
次に再生する番組に関わるデータ放送の画面を表示する第一の例を図７と図１９を用いて説明する。テレビジョン受信機１とＤＶＤレコーダー／プレーヤー３０１間のインターフェースを２つに分ける構成であり、ＢＭＬデータ／番組関連情報の伝送フォーマットは非同期パケットの場合の例である。図７はＤＶＤレコーダー／プレーヤー３０１が送信するデータ放送のＢＭＬデータをテレビジョン受信機１が表示する際、図１９はＤＶＤレコーダー／プレーヤー３０１がＢＭＬデータを送信する際の例である。またテレビジョン受信機１がＢＭＬデータを非圧縮フォーマットで受信する映像と音声のデータと別の伝送チャンネルから非同期送受信部３０で受信する例である。
【００６２】
図７においてユーザーがテレビジョン受信機１のリモコン３４を用いて非圧縮フォーマットで受信する映像／音声に関連するデータ放送の表示を、リモコン３４のｄキー４７を押して指示すると（ＳＴＥＰ５１）、マイコン１６は、その指示を解釈し、現在非圧縮フォーマットで受信している映像／音声に関連するデータ放送を構成するＢＭＬデータを送信要求するコマンドを生成し、非同期送受信部３０を用いて非同期パケット化してＤＶＤレコーダー／プレーヤー３０１に送信する。図１０や図１１で示したような映像や音声のチャンネルを指定する非同期パケットを送信することで、所望するＢＭＬデータと再生番組の関連付けもＤＶＤレコーダー／プレーヤー３０１に通知できる（ＳＴＥＰ５２）。その後返信を待つ（ＳＴＥＰ５３）。
【００６３】
図１９においてＤＶＤレコーダー／プレーヤー３０１は、ＳＴＥＰ５２で送信された非同期パケットを非同期送受信部３０４を用いて受信し、マイコン３２０は、映像／音声に関連するＢＭＬデータを送信要求するコマンドを認識し、前記所望するＢＭＬデータと再生番組の関連付けを解釈する（ＳＴＥＰ２５１）。マイコン３２０は、ＳＴＥＰ２０５で再生中の番組に関わるＢＭＬデータをＴＳデコーダーＢ３４０より入力し、バッファーメモリ３２１に蓄積しているので、映像と音声と関連付ける情報と蓄積されているＢＭＬデータを、非同期送受信部３０４を用いて図１０や図１１で示したように非同期パケット化してテレビジョン受信機１に返信するように制御する（ＳＴＥＰ２５２）。
【００６４】
図７において、テレビジョン受信機１は、ＤＶＤレコーダー／プレーヤー３０１からＳＴＥＰ２５２で返信される非同期パケットを受信すると（ＳＴＥＰ５３）、マイコン１６は、受信している映像／音声との関連付けを確認するが、先にＳＴＥＰ４あるいはＳＴＥＰ１４で認識した関連付けを更新する。関連付けを確認後、マイコン１６は格納されているＢＭＬデータを非同期送受信部３０を用いて読み出してＢＭＬ定義ファイルを解釈すると共に、その定義に応じたデコードを施しバッファーメモリ１７にデータ放送の先頭画面を描画する制御を行う（ＳＴＥＰ５４）。次にマイコン１６は、ＯＳＤコントローラ４６を用いてＳＴＥＰ５４での描画データを画素データに変換して表示する制御を行う。また定義ファイルに映像のスケーリング指示が示されていた場合は、マイコン１６は、ＳＴＥＰ５あるいはＳＴＥＰ１５において非圧縮フォーマットで受信する映像のデータを、ＹＵＶスケーリング部４８を用いて定義ファイルの指示に応じたスケーリング処理を行い、データ放送の先頭画面と合成して表示するように制御する。また定義ファイルに効果音の出力指示が示されていた場合は、マイコン１６は、ＳＴＥＰ５あるいはＳＴＥＰ１５において非圧縮フォーマットで受信する音声のデータにＡＶデコーダー８を用いて生成した効果音を、音声合成部４９を用いて合成して出力するように制御する（ＳＴＥＰ５５）。その後ユーザーはリモコン３４を用いてデータ放送の画面を操作しページ送り等を行うことができるが、リモコン３４のｄキー４７を押してデータ放送画面の表示を止める指示を行った場合（ＳＴＥＰ５６）、マイコン１６は、データ放送画面のデコードおよび表示そして映像のスケーリングそして効果音の生成および合成を終了する（ＳＴＥＰ５７）。
【００６５】
以上の説明から分かるようにこの例では、テレビジョン受信機１のマイコン１６において、ＢＭＬデータは、デコードされている。また、ＤＶＤレコーダー／プレーヤー３０１のマイコ３２０において、ＢＭＬデータは、デコードされていない。
【００６６】
次に再生する番組に関わるデータ放送を表示する第二の例を図８と図２０を用いて説明する。テレビジョン受信機１とＤＶＤレコーダー／プレーヤー３０１間のインターフェースを単一化する構成であり、ＢＭＬデータ／番組関連情報の伝送フォーマットは非圧縮フォーマットの場合の例である。図８はＤＶＤレコーダー／プレーヤー３０１が送信するデータ放送の画面をテレビジョン受信機１が表示する際、図２０はＤＶＤレコーダー／プレーヤー３０１がデータ放送画面を送信する際の例である。またテレビジョン受信機１がデータ放送のデコード後の画面を非圧縮フォーマットで受信する映像と音声のデータと同一の伝送チャンネルからＹＵＶ受信部２７およびＬＲ受信部２８で受信する例である。例えばＨＤＭＩインターフェースやアナログ映像/音声インターフェースから受信する事も考えられる。
【００６７】
図８においてユーザーが非圧縮フォーマットで受信する映像／音声に関連するデータ放送の表示をテレビジョン受信機のリモコン３４のｄキー４７を押して指示すると（ＳＴＥＰ６１）、マイコン１６はその指示を解釈し、現在非圧縮フォーマットで受信している映像／音声に関連するデータ放送の先頭画面を表示要求するコマンドを生成し、非同期送受信部３０を用いて非同期パケット化して、ＤＶＤレコーダー／プレーヤー３０１に送信する。図１０や図１１で示したような映像や音声のチャンネルを指定する非同期パケットを送信することで所望するデータ放送画面と再生番組の関連付けもＤＶＤレコーダー／プレーヤー３０１に通知しても良い（ＳＴＥＰ６２）。マイコン１６は、ユーザーが過去にテレビジョン受信機１で受信したデータ放送やその他のクイズ番組や懸賞番組などを受信して獲得したＮＶＲＡＭ５２に記憶されている放送事業者別の固有情報に含まれるポイントや権利を読み出し、非同期送受信部３０を用いて非同期パケットに格納してＤＶＤレコーダー／プレーヤー３０１に送信する（ＳＴＥＰ６３）。
【００６８】
図２０においてＤＶＤレコーダー／プレーヤー３０１はＳＴＥＰ６３で送信されるパケットを、非同期送受信部３０４を用いて受信する。パケットに格納されているテレビジョン受信機１のＮＶＲＡＭ５２の放送事業者別の固有情報のデータを使用する事により、記録された番組を再生する際にも、データ放送デコード時にユーザーが過去にテレビジョン受信機１を用いて受信時に獲得したポイントや権利を適用することができる。
【００６９】
また、ＤＶＤレコーダー／プレーヤー３０１は非同期送受信部３０４を用いてＳＴＥＰ６２で送信されたデータ放送画面を表示要求するコマンドと関連付けのデータを受信し、ＳＴＥＰ２０５あるいはＳＴＥＰ２１５で再生中である番組のデータ放送画面の表示要求と認識する（ＳＴＥＰ２６１）。マイコン３２０は、再生中の番組に関わるＢＭＬ定義ファイルやＢＭＬデータをＴＳデコーダーＢ３４０から入力し、定義ファイルを解釈するとともに、その定義に応じたデコードをマイコン３２０が施し、ＳＴＥＰ２６１で受信するテレビジョン受信機１のＮＶＲＡＭ５２のデータ内容を適用させて、再生中の番組の映像にデータ放送の先頭画面をＢＭＬ定義ファイルで示されている様式でＯＳＤコントローラ３５３や映像合成部３４７を制御して合成する。
【００７０】
また、定義ファイルに映像のスケーリング指示が示されていた場合は、マイコン３２０は、ＳＴＥＰ２０６あるいはＳＴＥＰ２１６においてデコードする映像のデータを、ＭＰＥＧ−２デコーダー３４６を用いて定義ファイルの指示に応じたスケーリング処理を行いデータ放送の先頭画面と合成して表示するように制御する。
【００７１】
また定義ファイルに効果音の出力指示が示されていた場合は、マイコン３２０は、ＳＴＥＰ２０６あるいはＳＴＥＰ２１６においてデコードする音声のデータにＭＰＥＧ−２デコーダー３４６を用いて生成した効果音を合成して出力するように制御する（ＳＴＥＰ２６２）。マイコン３２０は、ＳＴＥＰ２６１で受信したテレビジョン受信機１のＮＶＲＡＭ５２の放送事業者別の固有情報のデータをＮＶＲＡＭ３５２に書き込み更新する（ＳＴＥＰ２６３）。その後ユーザーはリモコン３４を用いてデータ放送の画面を操作しページ送り等をＳＴＥＰ６２と同様にマイコン１６の制御で操作コマンドを格納した非同期パケットをＤＶＤレコーダー／プレーヤー３０１に送信することで行うことができるが、リモコン３４のｄキー４７を押してＳＴＥＰ２６２で合成されているデータ放送画面の表示を止める指示を行った場合（ＳＴＥＰ６４）、マイコン１６は、ＳＴＥＰ６２と同様にデータ放送の表示を終了要求するコマンドを格納した非同期パケットをＤＶＤレコーダー／プレーヤー３０１に送信する（ＳＴＥＰ６５）。
【００７２】
図２０において、ＤＶＤレコーダー／プレーヤー３０１はデータ放送画面を表示終了要求するコマンドと関連付けのデータを、非同期送受信部３０４を用いて受信し、マイコン３２０は、解釈し（ＳＴＥＰ２６４）、ＳＴＥＰ２６２でのデータ放送画面のデコードおよび表示そして映像のスケーリングそして効果音の生成および合成を終了する。また、マイコン３２０は、番組の再生時にユーザーが新たに獲得したポイントや権利をテレビジョン受信機１にも適用させる為、ＤＶＤレコーダー／プレーヤー３０１のＮＶＲＡＭ３５２のデータをテレビジョン受信機１に非同期パケットで送信する（ＳＴＥＰ２６５）。
【００７３】
図８において、テレビジョン受信機１はＤＶＤレコーダー／プレーヤー３０１のＮＶＲＡＭに記録されているポイントや権利のデータを格納した非同期パケットを受信し（ＳＴＥＰ６６）、マイコン１６は、受信したポイントや権利のデータを用いてＮＶＲＡＭ５２に記憶されているデータを更新して記憶する（ＳＴＥＰ６７）。よって、ＤＶＤレコーダー／プレーヤー３０１に記憶されている番組のデータ放送をＤＶＤレコーダー／プレーヤー３０１でデコードした場合においても、再生時に獲得したポイントや権利をテレビジョン受信機１の放送事業者別の固有情報として合算して記憶することができる。
【００７４】
以上の説明から分かるようにこの例では、テレビジョン受信機１のマイコン１６において、ＢＭＬデータは、デコードされていない。また、ＤＶＤレコーダー／プレーヤー３０１のマイコ３２０において、ＢＭＬデータは、デコードされている。
【００７５】
図９と図２１は再生中の番組の映像と音声を表示終了する際の第一の例である。図９はテレビジョン受信機１が表示終了する際、図２１はＤＶＤレコーダー／プレーヤー３０１が番組の再生を終了する際の例である。
【００７６】
図９においてユーザーがテレビジョン受信機１のリモコン３４の停止キー４１を用いてＤＶＤレコーダー／プレーヤー３０１の再生停止を指示する操作を行った場合（ＳＴＥＰ７１）、マイコン１６は、受光部３９からの信号を解釈し再生停止コマンドを生成して、インターフェース装置１８の非同期送受信部３０を用いて再生停止コマンドを格納した非同期パケットをＤＶＤレコーダー／プレーヤー３０１に送信する（ＳＴＥＰ７２）。マイコン１６は、図１０や図１１で示したような映像や音声のチャンネルを指定する非同期パケットを送信することで所望する再生停止との関連付けもＤＶＤレコーダー／プレーヤー３０１に通知できる。
【００７７】
図２１において、ＤＶＤレコーダー／プレーヤー３０１は再生停止するコマンドと関連付けのデータを、非同期送受信部３０４を用いて受信し（ＳＴＥＰ２７１）、マイコン３２０は番組の再生とパケットの送信を終了する（ＳＴＥＰ２７２）。マイコン１６は映像の表示と音声の出力を終了する（ＳＴＥＰ７３）。
【００７８】
以上のように本発明の表示装置および再生装置およびそれらに用いるインターフェース装置は、テレビジョン受信機などの表示装置のリモコンの操作により、ＤＶＤプレーヤーなどの再生装置が再生する番組における番組関連情報またはデータ放送画面のＢＭＬデータを取得するように制御することができ、番組関連情報またはデータ放送画面の復号しての表示や操作を表示装置のリモコンで行なうことができる。
【００７９】
また、テレビジョン受信機などの表示装置のリモコンの操作により、ＤＶＤプレーヤーなどの再生装置が再生する番組における番組関連情報またはデータ放送画面の表示や操作の指示を再生装置に送信することができ、再生装置はその指示を受信して対応するデータ放送画面の表示や操作動作を行うことができるため、番組関連情報またはデータ放送画面の表示や操作を表示装置のリモコンで行なうことができる。
【００８０】
また、特に再生装置が再生する番組に関わるデータ放送画面を出力する際には、表示装置に記憶されている放送事業者別の固有情報を、再生装置に送信することができ、再生装置はその放送事業者別の固有情報を受信し、データ放送画面の出力の際に適用することや再生装置の放送事業者別の固有情報を更新することができる。
【００８１】
また、表示装置であるテレビジョン受信機などと再生装置であるＤＶＤレコーダー／プレーヤーとは、単一あるいは２種の通信規格で接続する事が可能であり、無線接続であれば、ＩＥＥＥ８０２．１１やＵＷＢ、有線接続であればＩＥＥＥ１３９４などのケーブル１種類あるいはそれにＨＤＭＩケーブルを加えた２種類のケーブルで済ますことができる。
【産業上の利用可能性】
【００８２】
本発明にかかる表示装置および再生装置およびそれらに用いるインターフェース装置は、表示装置と再生装置の双方のリモコンを用いて操作していた煩わしさの問題が解決される。また、データ放送の再生において、ユーザーがテレビジョン受信機を用いてデータ放送を受信した際に取得したポイントや権利を適用することができない不便さの問題を解決することができる。また、単一の通信規格の無線で接続することができないという問題、また、有線伝送であっても、少なくとも３種類のケーブルを用いる必要があり、装置間の接続が煩雑になるという問題を解決することができるという効果を有し、テレビジョン放送受信機やパーソナルコンピュータや携帯電話器や携帯情報端末機など表示機能を有する表示装置およびＤＶＤプレーヤーやＣＤプレーヤーやＨＤＤプレーヤーなど記録媒体に記録されている番組などを再生し出力する再生装置およびＤＶＤレコーダーやＣＤレコーダーやＨＤＤレコーダーなど記録媒体に番組などを記録するとともに再生し出力する再生装置等として有用である。
【図面の簡単な説明】
【００８３】
【図１】本発明の表示装置の実施の形態１におけるブロック図
【図２】本発明の表示装置の実施の形態１における第一の動作フローチャート
【図３】本発明の表示装置の実施の形態１における第二の動作フローチャート
【図４】本発明の表示装置の実施の形態１における第三の動作フローチャート
【図５】本発明の表示装置の実施の形態１における第四の動作フローチャート
【図６】本発明の表示装置の実施の形態１における第五の動作フローチャート
【図７】本発明の表示装置の実施の形態１における第六の動作フローチャート
【図８】本発明の表示装置の実施の形態１における第七の動作フローチャート
【図９】本発明の表示装置の実施の形態１における第八の動作フローチャート
【図１０】本発明の実施の形態１における非同期パケットの第一の構成図
【図１１】本発明の実施の形態１における非同期パケットの第二の構成図
【図１２】本発明の実施の形態１における同期パケットの構成図
【図１３】本発明の再生装置の実施の形態１におけるブロック図
【図１４】本発明の再生装置の実施の形態１における第一の動作フローチャート
【図１５】本発明の再生装置の実施の形態１における第二の動作フローチャート
【図１６】本発明の再生装置の実施の形態１における第三の動作フローチャート
【図１７】本発明の再生装置の実施の形態１における第四の動作フローチャート
【図１８】本発明の再生装置の実施の形態１における第五の動作フローチャート
【図１９】本発明の再生装置の実施の形態１における第六の動作フローチャート
【図２０】本発明の再生装置の実施の形態１における第七の動作フローチャート
【図２１】本発明の再生装置の実施の形態１における第八の動作フローチャート
【図２２】本発明の再生装置の実施の形態１におけるＴＳデコーダーＢ３４０の動作説明図
【図２３】本発明の再生装置の実施の形態１におけるバス上送信パケットの多重形態の説明図
【図２４】従来の表示装置におけるブロック図
【図２５】従来の表示装置における第一の動作フローチャート
【図２６】従来の表示装置における第二の動作フローチャート
【図２７】従来の再生装置におけるブロック図
【図２８】従来の再生装置における第一の動作フローチャート
【図２９】従来の再生装置における第二の動作フローチャート
【図３０】従来の再生装置における第三の動作フローチャート
【図３１】従来の再生装置における第四の動作フローチャート
【符号の説明】
【００８４】
１    テレビジョン受信機
５    受信部Ｄ
６    復調部Ｄ
７    ＴＳデコーダー
８    ＡＶデコーダー
９    映像スイッチ
１０    ＲＧＢプロセッサ
１１    ディスプレイ
１２    音声スイッチ
１３    Ｒスピーカー
１４    Ｌスピーカー
１６    マイコン
１７    バッファーメモリ
１８    インターフェース装置
１９    ＴＳインターフェース
２０    ＹＵＶインターフェース
２１    ＬＲインターフェース
２２    マイコンインターフェース
２３    番組関連情報メモリ
２４    同期送受信部
２５    挿入部
２６    ＴＳ送受信部
２７    ＹＵＶ受信部
２８    ＬＲ受信部
２９    ＬＩＮＫ
３０    非同期送受信部
３１    ＰＨＹ
３２    ノード識別メモリ
３４    リモコン
３５    録画キー
３６    チャンネル識別情報メモリ
３８    アンテナ
３９    受光部
４１    停止キー
４２    再生キー
４３    番組情報表示キー
４４    戻るキー
４５    ＲＧＢスイッチ
４６    ＯＳＤコントローラ
４７    ｄキー
４８    ＹＵＶスケーリング部
４９    音声合成部
５０    ＩＣカード部
５１    デスクランブル部
５２    ＮＶＲＡＭ
５３    コマンド書式メモリ
３０１    ＤＶＤレコーダー／プレーヤー
３０２    ＰＨＹ
３０３    ＬＩＮＫ
３０４    非同期送受信部
３０５    同期送受信部
３０６    ＴＳ送受信部
３０７    ＹＵＶ送信部
３０８    ＬＲ送信部
３０９    ＴＳインターフェース
３１０    ＹＵＶインターフェース
３１１    ＬＲインターフェース
３１２    マイコンインターフェース
３１４    ノード識別情報メモリ
３１５    チャンネル識別情報メモリ
３１７    インターフェース装置
３１８    リモコン
３１９    受光部
３２０    マイコン
３２１    バッファーメモリ
３２２    記録ストリーム選択部
３２３    記録信号処理部
３２４    ＤＶＤディスク
３２５    サーボコントローラ
３２７    ＴＳデコーダーＡ
３２８    番組関連情報メモリ
３２９    番組インデックスメモリ
３３０    サブピクチャデコーダー
３３５    受信部Ｄ
３３６    復調部Ｄ
３３７    アンテナ
３４０    ＴＳデコーダーＢ
３４２    録画キー
３４３    再生キー
３４５    再生信号処理部
３４６    ＭＰＥＧ−２  デコーダー
３４７    映像合成部
３４９    ＩＣカード部
３５０    デスクランブル部
３５１    停止キー
３５２    ＮＶＲＡＭ
３５３    ＯＳＤコントローラ
３５４    コマンド書式メモリ
【図１】
2004274718.tif 000003
【図２】
2004274718.tif 000004
【図３】
2004274718.tif 000005
【図４】
2004274718.tif 000006
【図５】
2004274718.tif 000007
【図６】
2004274718.tif 000008
【図７】
2004274718.tif 000009
【図８】
2004274718.tif 000010
【図９】
2004274718.tif 000011
【図１０】
2004274718.tif 000012
【図１１】
2004274718.tif 000013
【図１２】
2004274718.tif 000014
【図１３】
2004274718.tif 000015
【図１４】
2004274718.tif 000016
【図１５】
2004274718.tif 000017
【図１６】
2004274718.tif 000018
【図１７】
2004274718.tif 000019
【図１８】
2004274718.tif 000020
【図１９】
2004274718.tif 000021
【図２０】
2004274718.tif 000022
【図２１】
2004274718.tif 000023
【図２２】
2004274718.tif 000024
【図２３】
2004274718.tif 000025
【図２４】
2004274718.tif 000026
【図２５】
2004274718.tif 000027
【図２６】
2004274718.tif 000028
【図２７】
2004274718.tif 000029
【図２８】
2004274718.tif 000030
【図２９】
2004274718.tif 000031
【図３０】
2004274718.tif 000032
【図３１】
2004274718.tif 000033